(57)【特許請求の範囲】
【請求項１】
ワイヤレス近傍アウェアネットワーク（ＮＡＮ）において通信する方法であって、
ワイヤレスデバイスによって、発見期間を決定することと、前記発見期間は、発見ウィンドウを含み、前記発見ウィンドウの開始から後続の発見ウィンドウの開始への時間期間を示す、
前記ワイヤレスデバイスによって、前記発見期間を示す発見期間フィールドと、前記発見期間に関連して前記発見ウィンドウの開始時間を示すフィールドと、ブロードキャストアドレスを含む宛先アドレスフィールドと、前記ワイヤレスデバイスのアドレスとは無関係な前記ＮＡＮのＮＡＮ  ＢＳＳＩＤを含むネットワークアドレスフィールドと、後続の発見期間の時間を示す時間同期機能（ＴＳＦ）を含むフィールドと、を備えるＮＡＮビーコンまたは他の同期フレームを生成することと、
前記ワイヤレスデバイスによって、前記発見ウィンドウ中に前記ＮＡＮビーコンまたは他の同期フレームを送信することと
を備える、方法。
【請求項２】
前記ＮＡＮビーコンまたは他の同期フレームが、現在の発見ウィンドウの時間を示す時間同期機能（ＴＳＦ）を備える情報要素をさらに備える、請求項１に記載の方法。
【請求項３】
前記ＮＡＮビーコンまたは他の同期フレームが、送信アドレスを備える情報要素をさらに備える、請求項１に記載の方法。
【請求項４】
前記ＮＡＮ  ＢＳＳＩＤがユニバーサルＢＳＳＩＤトークンを備える、請求項１に記載の方法。
【請求項５】
前記ＮＡＮ  ＢＳＳＩＤがアプリケーション識別子に基づく、請求項１に記載の方法。
【請求項６】
前記ＮＡＮ  ＢＳＳＩＤが擬似ランダムネットワーク識別子を備える、請求項１に記載の方法。
【請求項７】
前記ＮＡＮビーコンまたは他の同期フレームは、前記ＮＡＮビーコンまたは他の同期フレームがビーコン管理フレームであるという指示を備えるフレーム制御フィールドをさらに備える、請求項１に記載の方法。
【請求項８】
前記フレーム制御フィールドは、前記ＮＡＮビーコンまたは他の同期フレームがプローブ応答であるという指示をさらに備える、請求項７に記載の方法。
【請求項９】
前記宛先アドレスフィールドは、前記ビーコンが、ＮＡＮビーコンまたは他の同期フレームであることを示すマルチキャストアドレスまたはアドレスのグループをさらに備える、請求項１に記載の方法。
【請求項１０】
前記宛先アドレスが前記ＮＡＮ  ＢＳＳＩＤと同じである、請求項１に記載の方法。
【請求項１１】
前記ＮＡＮ  ＢＳＳＩＤが、標準化団体定義ＢＳＳＩＤまたはアプリケーション定義ＢＳＳＩＤのうちの少なくとも１つを備える、請求項１に記載の方法。
【請求項１２】
前記ワイヤレスデバイスの前記アドレスが、前記ＮＡＮビーコンのフレーム本体中で搬送される、請求項１に記載の方法。
【請求項１３】
前記ＮＡＮ  ＢＳＳＩＤは、前記ワイヤレスデバイスの特徴に基づく、請求項１に記載の方法。
【請求項１４】
前記ＮＡＮビーコンまたは他の同期フレームが、前記ＮＡＮビーコンまたは他の同期フレームの前記生成のときの前記ワイヤレスデバイスのクロック時間を備えるタイムスタンプをさらに備える、請求項１に記載の方法。
【請求項１５】
前記ＮＡＮビーコンまたは他の同期フレームが、標準化団体定義ＳＳＩＤまたはアプリケーション定義ＳＳＩＤのうちの少なくとも１つを備えるＳＳＩＤ要素をさらに備える、請求項１に記載の方法。
【請求項１６】
ワイヤレス近傍アウェアネットワーク（ＮＡＮ）において通信するように構成されたワイヤレスデバイスであって、
発見期間を決定することと、前記発見期間は、発見ウィンドウを含み、前記発見ウィンドウの開始から後続の発見ウィンドウの開始への時間期間を示す、
前記発見期間を示す発見期間フィールドと、前記発見期間に関連して前記発見ウィンドウの開始時間を示すフィールドと、ブロードキャストアドレスを含む宛先アドレスフィールドと、前記ワイヤレスデバイスのアドレスとは無関係な前記ＮＡＮのＮＡＮ  ＢＳＳＩＤを含むネットワークアドレスフィールドと、後続の発見期間の時間を示す時間同期機能（ＴＳＦ）を含むフィールドと、を備えるＮＡＮビーコンまたは他の同期フレームを生成することと、
前記発見ウィンドウ中に前記ＮＡＮビーコンまたは他の同期フレームを送信することと
を行うように構成されたプロセッサ
を備える、ワイヤレスデバイス。
【請求項１７】
前記ＮＡＮビーコンまたは他の同期フレームが、現在の発見ウィンドウの時間を示す時間同期機能（ＴＳＦ）を備える情報要素をさらに備える、請求項１６に記載のワイヤレスデバイス。
【請求項１８】
前記ＮＡＮビーコンまたは他の同期フレームが、送信アドレスを備える情報要素をさらに備える、請求項１６に記載のワイヤレスデバイス。
【請求項１９】
前記ＮＡＮ  ＢＳＳＩＤがユニバーサルＢＳＳＩＤトークンを備える、請求項１６に記載のワイヤレスデバイス。
【請求項２０】
前記ＮＡＮ  ＢＳＳＩＤがアプリケーション識別子に基づく、請求項１６に記載のワイヤレスデバイス。
【請求項２１】
前記ＮＡＮ  ＢＳＳＩＤが擬似ランダムネットワーク識別子を備える、請求項１６に記載のワイヤレスデバイス。
【請求項２２】
前記ＮＡＮビーコンまたは他の同期フレームは、前記ＮＡＮビーコンまたは他の同期フレームがビーコン管理フレームであるという指示を備えるフレーム制御フィールドをさらに備える、請求項１６に記載のワイヤレスデバイス。
【請求項２３】
前記フレーム制御フィールドは、前記ＮＡＮビーコンまたは他の同期フレームがプローブ応答であるという指示をさらに備える、請求項２２に記載のワイヤレスデバイス。
【請求項２４】
前記宛先アドレスフィールドは、前記ビーコンが、ＮＡＮビーコンまたは他の同期フレームであることを示すマルチキャストアドレスまたはアドレスのグループをさらに備える、請求項１６に記載のワイヤレスデバイス。
【請求項２５】
前記宛先アドレスが前記ＮＡＮ  ＢＳＳＩＤと同じである、請求項１６に記載のワイヤレスデバイス。
【請求項２６】
前記ＮＡＮ  ＢＳＳＩＤが、標準化団体定義ＢＳＳＩＤまたはアプリケーション定義ＢＳＳＩＤのうちの少なくとも１つを備える、請求項１６に記載のワイヤレスデバイス。
【請求項２７】
前記ワイヤレスデバイスの前記アドレスが、前記ＮＡＮビーコンのフレーム本体中で搬送される、請求項１６に記載のワイヤレスデバイス。
【請求項２８】
前記ＮＡＮ  ＢＳＳＩＤは、前記ワイヤレスデバイスの特徴に基づく、請求項１６に記載のワイヤレスデバイス。
【請求項２９】
前記ＮＡＮビーコンまたは他の同期フレームが、前記ＮＡＮビーコンまたは他の同期フレームの前記生成のときの前記ワイヤレスデバイスのクロック時間を備えるタイムスタンプをさらに備える、請求項１６に記載のワイヤレスデバイス。
【請求項３０】
前記ＮＡＮビーコンまたは他の同期フレームが、標準化団体定義ＳＳＩＤまたはアプリケーション定義ＳＳＩＤのうちの少なくとも１つを備えるＳＳＩＤ要素をさらに備える、請求項１６に記載のワイヤレスデバイス。
【請求項３１】
ワイヤレス近傍アウェアネットワーク（ＮＡＮ）において通信するための装置であって、
発見期間を決定するための手段と、前記発見期間は、発見ウィンドウを含み、前記発見ウィンドウの開始から後続の発見ウィンドウの開始への時間期間を示す、
前記発見期間を示す発見期間フィールドと、前記発見期間に関連して前記発見ウィンドウの開始時間を示すフィールドと、ブロードキャストアドレスを含む宛先アドレスフィールドと、前記装置のアドレスとは無関係な前記ＮＡＮのＮＡＮ  ＢＳＳＩＤを含むネットワークアドレスフィールドと、後続の発見期間の時間を示す時間同期機能（ＴＳＦ）を含むフィールドと、を備えるＮＡＮビーコンまたは他の同期フレームを生成するための手段と、
前記発見ウィンドウ中に前記ＮＡＮビーコンまたは他の同期フレームを送信するための手段と
を備える、装置。
【請求項３２】
実行されたとき、ワイヤレス近傍アウェアネットワーク（ＮＡＮ）において通信するように構成された装置に、
発見期間を決定することと、前記発見期間は、発見ウィンドウを含み、前記発見ウィンドウの開始から後続の発見ウィンドウの開始への時間期間を示す、
前記発見期間を示す発見期間フィールドと、前記発見期間に関連して前記発見ウィンドウの開始時間を示すフィールドと、ブロードキャストアドレスを含む宛先アドレスフィールドと、前記ワイヤレスデバイスのアドレスとは無関係な前記ＮＡＮのＮＡＮ  ＢＳＳＩＤを含むネットワークアドレスフィールドと、後続の発見期間の時間を示す時間同期機能（ＴＳＦ）を含むフィールドと、を備えるＮＡＮビーコンまたは他の同期フレームを生成することと、
前記発見ウィンドウ中に前記ＮＡＮビーコンまたは他の同期フレームを送信することと
を行わせるコードを備える非一時的コンピュータ可読記録媒体。
【発明の詳細な説明】
【技術分野】
【０００１】
[0001]本出願は、一般にワイヤレス通信に関し、より詳細には、近傍アウェアネットワークにおいてフレームをフォーマットするためのシステムおよび方法に関する。
【背景技術】
【０００２】
[0002]多くの電気通信システムでは、通信ネットワークは、空間的に離れたいくつかの対話しているデバイスの間でメッセージを交換するために使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要があるときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利なことに、固定有線ネットワークと比較して、ユーザモビリティと迅速な現場配置とを容易にする。
【０００４】
[0004]ワイヤレスネットワーク中のデバイスは、互いの間で情報を送信／受信し得る。その情報は、いくつかの態様ではデータユニットまたはデータフレームと呼ばれることがある、パケットを含み得る。パケットは、ネットワークを通してパケットをルーティングすること、パケット中のデータを識別すること、パケットを処理することなどを助けるオーバーヘッド情報（たとえば、ヘッダ情報、パケットプロパティなど）、ならびにパケットのペイロード中で搬送され得るデータ、たとえばユーザデータ、マルチメディアコンテンツなどを含み得る。
【０００５】
[0005]デバイスはまた、他のノードにビーコン信号をブロードキャストして、それらのノードがタイミングを同期するのを助けるか、あるいは他の情報または機能を与え得る。したがって、ビーコンは大量のデータを搬送し得、そのデータの一部が所与のノードによって使用され得る。したがって、ビーコンを送信するための帯域幅の大部分が、使用されないデータを送信するために使用され得ることにより、そのようなビーコン中でのデータの送信は非効率になり得る。したがって、パケットを通信するための改善されたシステム、方法、およびデバイスが望まれる。
【発明の概要】
【０００６】
[0006]本明細書で説明するシステム、方法、デバイス、およびコンピュータプログラム製品は、それぞれいくつかの態様を有し、それらのうちの単一の態様が単独で本発明の望ましい属性を担当するとは限らない。以下の特許請求の範囲によって表される本発明の範囲を限定することなしに、いくつかの特徴について以下で手短に説明する。この説明を考察すれば、特に「発明を実施するための形態」と題するセクションを読めば、本発明の有利な特徴が、媒体上にデバイスを導入するときの低減された電力消費をどのように含むかが理解されよう。
【０００７】
[0007]本開示で説明する主題の一態様は、ワイヤレス近傍アウェアネットワーク（ＮＡＮ）において通信する方法を提供する。本方法は、発見期間を決定することを含む。本方法は、発見ウィンドウの開始時間を示す発見ウィンドウ情報要素を生成することをさらに含む。本方法は、発見期間と発見ウィンドウ情報要素とを識別する情報を備えるＮＡＮビーコンまたは他の同期フレームを生成することをさらに含む。本方法は、ワイヤレスデバイスにおいて、発見ウィンドウ中にＮＡＮビーコンまたは他の同期フレームを送信することをさらに含む。
【０００８】
[0008]本開示で説明する主題の別の態様は、ワイヤレス近傍アウェアネットワーク（ＮＡＮ）において通信するように構成されたワイヤレスデバイスを提供する。ワイヤレスデバイスは、発見期間を決定するように構成されたプロセッサを備える。プロセッサは、発見ウィンドウの開始時間を示す発見ウィンドウ情報要素を生成するようにさらに構成される。プロセッサは、発見期間と発見ウィンドウ情報要素とを識別する情報を備えるＮＡＮビーコンまたは他の同期フレームを生成するようにさらに構成される。プロセッサは、ワイヤレスデバイスにおいて、発見ウィンドウ中にＮＡＮビーコンまたは他の同期フレームを送信するようにさらに構成される。
【０００９】
[0009]本開示で説明する主題の別の態様は、ワイヤレス近傍アウェアネットワーク（ＮＡＮ）を通信するための装置を提供する。本装置は、発見期間を決定するための手段を含む。本装置は、発見ウィンドウの開始時間を示す発見ウィンドウ情報要素を生成するための手段をさらに含む。本装置は、発見期間と発見ウィンドウ情報要素とを識別する情報を備えるＮＡＮビーコンまたは他の同期フレームを生成するための手段をさらに含む。本装置は、ワイヤレスデバイスにおいて、発見ウィンドウ中にＮＡＮビーコンまたは他の同期フレームを送信するための手段をさらに含む。
【００１０】
[0010]本開示で説明する主題の別の態様は非一時的コンピュータ可読媒体を提供する。媒体は、実行されたとき、装置に、発見期間を決定することを行わせるコードを備える。媒体は、実行されたとき、装置に、発見ウィンドウの開始時間を示す発見ウィンドウ情報要素を生成することを行わせるコードをさらに備える。媒体は、実行されたとき、装置に、発見期間と発見ウィンドウ情報要素とを識別する情報を備えるＮＡＮビーコンまたは他の同期フレームを生成することを行わせるコードをさらに備える。媒体は、実行されたとき、装置に、ワイヤレスデバイスにおいて、発見ウィンドウ中にＮＡＮビーコンまたは他の同期フレームを送信することを行わせるコードをさらに備える。
【図面の簡単な説明】
【００１１】
【図１】[0011]本開示の態様が採用され得るワイヤレス通信システムの一例を示す図。
【図２】[0012]図１のワイヤレス通信システム内で採用され得るワイヤレスデバイスの機能ブロック図。
【図３】[0013]本開示のいくつかの態様による、ワイヤレス通信システムにおける例示的な通信タイムラインを示す図。
【図４】[0014]通信のためにレガシーシステムにおいて使用されるビーコンフレームの一例を示す図。
【図５】[0015]例示的な近傍アウェアネットワークビーコンフレームを示す図。
【図６】[0016]例示的な近傍アウェアネットワーク発見フレームを示す図。
【図７】[0017]図１のワイヤレス通信システム内で採用され得るワイヤレス通信の例示的な方法のフローチャート。
【図８】[0018]図１のワイヤレス通信システム内で採用され得る例示的な情報要素を示す図。
【図９】[0019]図１のワイヤレス通信システム内で採用され得る別の例示的な情報要素を示す図。
【図１０】[0020]図１のワイヤレス通信システム内で採用され得る別の例示的な情報要素を示す図。
【図１１】[0021]図１のワイヤレス通信システム内で採用され得る例示的な発見ウィンドウ属性を示す図。
【図１２】[0022]図１のワイヤレス通信システム内で採用され得る別の例示的な情報要素を示す図。
【図１３】[0023]図１のワイヤレス通信システム内で採用され得る例示的な送信アドレス属性を示す図。
【発明を実施するための形態】
【００１２】
[0024]「例示的」という単語は、本明細書では「例、事例、または例示の働きをすること」を意味するために使用される。本明細書に「例示的」と記載されたいかなる実施形態も、必ずしも他の実施形態よりも好ましいまたは有利であると解釈されるべきではない。添付の図面を参照して、新規のシステム、装置、および方法の様々な態様が以下でより十分に説明される。ただし、本開示は、多くの異なる形態で実施され得、本開示全体にわたって提示される任意の特定の構造または機能に限定されるものと解釈され得ない。むしろ、これらの態様は、本開示が周到で完全になり得、本開示の範囲を当業者に十分に伝え得るように与えられる。本開示の範囲は、本発明の他の態様とは無関係に実装されるにせよ、本発明の他の態様と組み合わせて実装されるにせよ、本明細書で開示する新規のシステム、装置、および方法の任意の態様をカバーする。たとえば、本明細書に記載した態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーする。本明細書で開示する任意の態様が、請求項の１つまたは複数の要素によって実施され得る。
【００１３】
[0025]本明細書では特定の態様について説明するが、これらの態様の多くの変形および置換は本開示の範囲内に入る。好ましい態様のいくつかの利益および利点について説明するが、本開示の範囲は特定の利益、使用、または目的に限定されない。むしろ、本開示の態様は、様々なワイヤレス技術、システム構成、ネットワーク、および送信プロトコルに広く適用可能であり、そのうちのいくつかが例として図面および好ましい態様の以下の説明において示される。発明を実施するための形態および図面は、本開示を限定するものではなく説明するものにすぎず、本開示の範囲は添付の特許請求の範囲およびそれの均等物によって定義される。
【００１４】
[0026]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを相互接続するために使用され得る。本明細書で説明される様々な態様は、ワイヤレスプロトコルなどの任意の通信規格に適用され得る。
【００１５】
[0027]いくつかの実装形態では、ＷＬＡＮは、ワイヤレスネットワークにアクセスする構成要素である様々なデバイスを含む。たとえば、２つのタイプのデバイスであるアクセスポイント（「ＡＰ」）およびクライアント（局、または「ＳＴＡ」とも呼ばれる）があり得る。概して、ＡＰはＷＬＡＮ用のハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉＦｉ（登録商標）（たとえば、ＩＥＥＥ８０２．１１プロトコル）準拠ワイヤレスリンクを介してＡＰに接続する。いくつかの実装形態では、ＳＴＡはＡＰとして使用されることもある。
【００１６】
[0028]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００１７】
[0029]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスまたはワイヤレスデバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１８】
[0030]たとえば、局のグループなどのデバイスは、近傍アウェアネットワーキング（ＮＡＮ）またはソーシャルＷｉＦｉネットワーキングのために使用され得る。たとえば、ネットワーク内の様々な局は、局の各々がサポートするアプリケーションに関して互いにデバイス間で通信し得る（たとえば、ピアツーピア通信）。ソーシャルＷｉＦｉネットワークにおいて使用される発見プロトコルにとって、セキュア通信および低電力消費を保証しながら、ＳＴＡが、（たとえば、発見パケットを送ることによって）それら自体を広告すること、ならびに（たとえば、ページングパケットまたはクエリパケット送ることによって）他のＳＴＡによって与えられたサービスを発見することを可能にすることが望ましい。発見パケットは、発見メッセージまたは発見フレームと呼ばれることもある。ページングパケットまたはクエリパケットは、ページングメッセージまたはクエリメッセージあるいはページングフレームまたはクエリフレームと呼ばれることもある。
【００１９】
[0031]図１に、本開示の態様が採用され得るワイヤレス通信システム１００の一例を示す。ワイヤレス通信システム１００は、８０２．１１規格などのワイヤレス規格に従って動作し得る。ワイヤレス通信システム１００は、ＳＴＡ１０６と通信するＡＰ１０４を含み得る。いくつかの態様では、ワイヤレス通信システム１００は、２つ以上のＡＰを含み得る。さらに、ＳＴＡ１０６は、他のＳＴＡ１０６と通信し得る。一例として、第１のＳＴＡ１０６ａは、第２のＳＴＡ１０６ｂと通信し得る。別の例として、図１にこの通信リンクを図示していないが、第１のＳＴＡ１０６ａは第３のＳＴＡ１０６ｃと通信し得る。
【００２０】
[0032]ワイヤレス通信システム１００におけるＡＰ１０４とＳＴＡ１０６との間の送信および第１のＳＴＡ１０６ａなどの個別のＳＴＡと第２のＳＴＡ１０６ｂなどの別の個別のＳＴＡとの間の送信のために、様々なプロセスおよび方法が使用され得る。たとえば、信号は、ＯＦＤＭ／ＯＦＤＭＡ技法に従って送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され、第１のＳＴＡ１０６ａなどの個別のＳＴＡと第２のＳＴＡ１０６ｂなどの別の個別のＳＴＡとの間で送信および受信され得る。この場合、ワイヤレス通信システム１００はＣＤＭＡシステムと呼ばれることがある。
【００２１】
[0033]ＡＰ１０４からＳＴＡ１０６のうちの１つまたは複数への送信を容易にする通信リンクはダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２２】
[0034]通信リンクは、ソーシャルＷｉＦｉネットワーキング中などにＳＴＡ間に確立され得る。ＳＴＡ間のいくつかの可能な通信リンクを図１に示す。一例として、通信リンク１１２は、第１のＳＴＡ１０６ａから第２のＳＴＡ１０６ｂへの送信を容易にし得る。別の通信リンク１１４は、第２のＳＴＡ１０６ｂから第１のＳＴＡ１０６ａへの送信を容易にし得る。
【００２３】
[0035]ＡＰ１０４は、基地局として働き、基本サービスエリア（ＢＳＡ）１０２においてワイヤレス通信カバレージを与え得る。ＡＰ１０４は、ＡＰ１０４に関連し、また通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得る。したがって、本明細書で説明されたＡＰ１０４の機能は、ＳＴＡ１０６のうちの１つまたは複数によって代替的に実行され得る。
【００２４】
[0036]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるか、またはＳＴＡ１０６のうちの１つを備え得る。
【００２５】
[0037]ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与え得る。メモリ２０６の一部は、不揮発性ランダムアクセスメモリ（ＮＶＲＡＭ）も含み得る。プロセッサ２０４は、メモリ２０６内に記憶されたプログラム命令に基づいて論理演算および算術演算を実行し得る。メモリ２０６中の命令は、本明細書で説明する方法を実装するように実行可能であり得る。
【００２６】
[0038]プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行し得る任意の他の好適なエンティティの任意の組合せを用いて実装され得る。
【００２７】
[0039]処理システムはまた、ソフトウェアを記憶するための機械可読媒体も含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００２８】
[0040]ワイヤレスデバイス２０２はまた、ワイヤレスデバイス２０２と遠隔ロケーションとの間のデータの送信および受信を可能にするために送信機２１０および／または受信機２１２を含み得る、ハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００２９】
[0041]送信機２１０は、異なるパケットタイプまたは機能を有するパケットをワイヤレス送信するように構成され得る。たとえば、送信機２１０は、プロセッサ２０４によって生成された様々なタイプのパケットを送信するように構成され得る。ワイヤレスデバイス２０２がＡＰ１０４またはＳＴＡ１０６として実装または使用されるとき、プロセッサ２０４は、複数の異なるパケットタイプのパケットを処理するように構成され得る。たとえば、プロセッサ２０４は、パケットのタイプを決定し、それに応じて、パケットおよび／またはパケットのフィールドを処理するように構成され得る。ワイヤレスデバイス２０２がＡＰ１０４として実装または使用されるとき、プロセッサ２０４はまた、複数のパケットタイプのうちの１つを選択し、生成するように構成され得る。たとえば、プロセッサ２０４は、発見メッセージを備える発見パケットを生成し、特定のインスタンスにどのタイプのパケット情報を使用すべきかを決定するように構成され得る。
【００３０】
[0042]受信機２１２は、異なるパケットタイプを有するパケットをワイヤレスに受信するように構成され得る。いくつかの態様では、受信機２１２は、使用されたパケットのタイプを検出し、それに応じて、パケットを処理するように構成され得る。
【００３１】
[0043]ワイヤレスデバイス２０２は、トランシーバ２１４によって受信された信号のレベルを検出し、定量化するために使用され得る信号検出器２１８をも含み得る。信号検出器２１８は、そのような信号を、総エネルギー、シンボルごとのサブキャリア当たりのエネルギー、電力スペクトル密度、および他の信号として検出し得る。ワイヤレスデバイス２０２は、信号を処理する際に使用するデジタル信号プロセッサ（ＤＳＰ）２２０をも含み得る。ＤＳＰ２２０は、送信のためのパケットを生成するように構成され得る。いくつかの態様では、パケットは物理レイヤデータユニット（ＰＰＤＵ）を備え得る。
【００３２】
[0044]いくつかの態様では、ワイヤレスデバイス２０２はさらに、ユーザインターフェース２２２を備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００３３】
[0045]ワイヤレスデバイス２０２の様々な構成要素は、バスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに対する入力を受け付けるかまたは与え得る。
【００３４】
[0046]いくつかの別個の構成要素が図２に示されているが、それらの構成要素のうちの１つまたは複数は、組み合わされるかまたは通常実装され得る。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００３５】
[0047]ＡＰ１０４およびＳＴＡ１０６などのデバイス間または複数のＳＴＡ１０６間の適切な通信を保証するために、ＡＰ１０４またはＳＴＡ１０６は、ＡＰ１０４またはＳＴＡ１０６の特性に関する情報を受信し得る。たとえば、ＳＴＡ１０６は、ＳＴＡ１０６とＡＰ１０４との間の通信のタイミングを同期させるために、ＡＰ１０４についてのタイミング情報を使用し得る。追加または代替として、ＳＴＡ１０６は、ＡＰ１０４または別のＳＴＡの媒体アクセス制御（ＭＡＣ）アドレス、ＡＰ１０４によってサービスされる基本サービスセット（ＢＳＳ）の識別子など、他の情報を必要とし得る。ＳＴＡ１０６は、メモリ２０６およびプロセッサ２０４を使用して実行されるソフトウェアを通してなど、そのような情報を単独で必要とするかどうかを決定し得る。
【００３６】
[0048]ＡＰ１０４またはＳＴＡ１０６は、複数の動作モードを有し得る。たとえば、ＳＴＡ１０６は、アクティブモード、通常動作モードまたはフル電力モードと呼ばれる第１の動作モードを有し得る。アクティブモードでは、ＳＴＡ１０６は、「アウェイク」状態にあり、別のＳＴＡ１０６とデータをアクティブに送信／受信し得る。さらに、ＳＴＡ１０６は、省電力モードまたはスリープモードと呼ばれる第２の動作モードを有し得る。省電力モードでは、ＳＴＡ１０６は、「アウェイク」状態にあり得るか、あるいはＳＴＡ１０６が別のＳＴＡ１０６とデータをアクティブに送信／受信しない「ドーズ」状態または「スリープ」状態にあり得る。たとえば、ＳＴＡ１０６の受信機２１２、ならびに、場合によってはＤＳＰ２２０および信号検出器２１８は、ドーズ状態で低減された電力消費を使用して動作し得る。さらに、電力節約モードでは、ＳＴＡ１０６は、ＡＰ１０４または別のＳＴＡとデータを送信／受信することが可能になるように、ＳＴＡ１０６が特定の時間に「起動する」（たとえば、アウェイク状態に入る）必要があるか否かをＳＴＡ１０６に示す、ＡＰ１０４または他のＳＴＡからのメッセージ（たとえば、ページングメッセージ）をリッスンするために、時々、アウェイク状態に入り得る。
【００３７】
[0049]図３に、デバイスが１つのチャネルを介して通信し得るワイヤレス通信システムにおける例示的な通信タイムライン３００を示す。例示的な通信タイムライン３００は、持続時間ΔＡ３０６の発見間隔（ＤＩ）３０２と、持続時間ΔＢ３０８のページング間隔（ＰＩ）３０４と、持続時間ΔＣ３１０の全体的な間隔とを含み得る。いくつかの態様では、通信は、他のチャネルをも介して行われ得る。時間は、時間軸にわたってページの端から端まで水平方向に増加する。
【００３８】
[0050]ＤＩ３０２中に、ＡＰまたはＳＴＡは、発見パケットなどのブロードキャストメッセージを通してサービスを広告し得る。いくつかの実施形態では、ＤＩ３０２は、発見ウィンドウ（ＤＷ：discovery window）と呼ばれることがある。ＡＰまたはＳＴＡは、他のＡＰまたはＳＴＡによって送信されたブロードキャストメッセージをリッスンし得る。いくつかの態様では、ＤＩの持続時間は、時間とともに変化し得る。他の態様では、ＤＩの持続時間は、ある時間期間にわたって固定されたままであり得る。ＤＩ３０２の終端は、図３に示すように、第１の残余時間期間だけ後続のＰＩ３０４の始端から分離され得る。ＰＩ３０４の終端は、図３に示すように、異なる残余時間期間だけ後続のＤＩの始端から分離され得る。
【００３９】
[0051]ＰＩ３０４中に、ＡＰまたはＳＴＡは、ページング要求パケットなどのページング要求メッセージを送信することによって、ブロードキャストメッセージ中で広告される複数のサービスのうちの１つまたは複数に対する関心を示し得る。ＡＰまたはＳＴＡは、他のＡＰまたはＳＴＡによって送信されたページング要求メッセージをリッスンし得る。いくつかの態様では、ＰＩの持続時間は、時間とともに変化し得る。他の態様では、ＰＩの持続時間は、ある時間期間にわたって一定のままであり得る。いくつかの態様では、ＰＩの持続時間は、ＤＩの持続時間よりも短くなり得る。
【００４０】
[0052]持続時間ΔＣ３１０の全体的な間隔は、図３に示すように、１つのＤＩの始端から後続のＤＩの始端までの時間期間を測定し得る。いくつかの実施形態では、持続時間ΔＣ３１０は、発見期間（ＤＰ：discovery period）と呼ばれることがある。いくつかの態様では、全体的な間隔の持続時間は、時間とともに変化し得る。他の態様では、全体的な間隔の持続時間は、ある時間期間にわたって一定のままであり得る。持続時間ΔＣ３１０の全体的な間隔の終わりに、ＤＩと、ＰＩと、残余間隔とを含む別の全体的な間隔が開始し得る。連続する全体的な間隔は、無期限に続くか、または固定時間期間の間継続し得る。
【００４１】
[0053]ＳＴＡが送信していないかまたはリッスンしていないか、あるいは送信またはリッスンすることを予想していないとき、ＳＴＡは、スリープモードまたは省電力モードに入り得る。一例として、ＳＴＡは、ＤＩまたはＰＩ以外の期間中にスリープし得る。スリープモードまたは省電力モードにあるＳＴＡは、ＳＴＡによる送信またはリスニングを可能にするために、ＤＩまたはＰＩの始端で起動するか、あるいは通常動作モードまたはフル電力モードに復帰し得る。いくつかの態様では、ＳＴＡが別のデバイスと通信することを予想するほかのときにまたは起動するようにＳＴＡに命令する通知パケットを受信したことの結果として、ＳＴＡは、起動するか、あるいは通常動作モードまたはフル電力モードに復帰し得る。ＳＴＡは、ＳＴＡが送信を受信することを保証するために早く起動し得る。
【００４２】
[0054]上記で説明したように、ＤＩ中に、ＡＰまたはＳＴＡは、発見パケット（ＤＰ：discovery packet）を送信し得る。ＰＩ中に、ＡＰまたはＳＴＡは、ページング要求パケット（ＰＲ：paging request packet）を送信し得る。ＤＰは、ＳＴＡまたはＡＰによって与えられた複数のサービスを広告し、ページング間隔がいつ発見パケットを送信するデバイスのためのものであるかを示すように構成されたパケットであり得る。ＤＰは、データフレーム、管理フレーム、または管理アクションフレームを含み得る。ＤＰは、上位レイヤの発見プロトコルまたはアプリケーションベースの発見プロトコルによって生成された情報を搬送し得る。ＰＲは、ＡＰまたはＳＴＡによって与えられた複数のサービスのうちの少なくとも１つに対する関心を示すように構成されたパケットであり得る。
【００４３】
[0055]ＤＩおよびＰＩの始端および終端は、発見パケットまたはページング要求パケットを送信することを望む各ＳＴＡに数々の方法を介して知られ得る。いくつかの態様では、各ＳＴＡは、他のＡＰまたはＳＴＡとそれのクロックを同期させ、共有ＤＩおよびＰＩ開始時間とＤＩ持続時間とＰＩ持続時間とを設定し得る。他の態様では、デバイスは、本開示の態様と競合するか、またはそれと準拠しないことのある通信などのレガシー通信の媒体を消去し、ＤＩまたはＰＩ期間の始端および持続時間、ならびにＤＩおよびＰＩ持続時間に関する追加情報を示すために特殊送信可（Ｓ−ＣＴＳ）信号などの信号を送り得る。
【００４４】
[0056]他のＳＴＡからなど、発見パケットを介して広告されたサービスに潜在的に関心があるＳＴＡは、ＤＩ中に起動するかまたは起動したままであり、特定の発見パケットが、受信ＳＴＡに関係があり得る複数のサービスのうちの１つまたは複数に関する情報を含むかどうかを決定するために発見パケットを処理し得る。ＤＩ期間の後に、情報を通信することを予定していないＳＴＡは、ＳＴＡが通信することを予定する次回まで休止期間の間、スリープモードまたは省電力モードに入り得る。いくつかの態様では、ＳＴＡが、ＤＩまたはＰＩの外で別のデバイスと追加情報を通信し得るまで、ＳＴＡは、スリープモードまたは省電力モードに入り得る。いくつかの態様では、ＳＴＡは、次のＰＩの始端までスリープモードまたは省電力モードに入り得る。ＰＩの始端において、関係するＳＴＡは、サービスのプロバイダにページング要求パケットを送信するために起動し得る。
【００４５】
[0057]他のＳＴＡに送信された発見パケットなどの送信された発見パケットへの応答を待つＳＴＡは、ＰＩ中に起動するかまたは起動したままであり、ＳＴＡによって与えられた複数のサービスのうちの少なくとも１つに対する別のデバイスによる関心を特定のページング要求パケットが示すかどうかを決定するためにページング要求パケットを処理し得る。ＰＩ期間の後に、情報を通信することを予定していないＳＴＡは、ＳＴＡが通信することを予定する次回まで休止期間の間、スリープモードまたは省電力モードに入り得る。いくつかの態様では、ＳＴＡが、ＤＩまたはＰＩの外で別のデバイスと追加情報を通信し得るまで、ＳＴＡは、スリープモードまたは省電力モードに入り得る。いくつかの態様では、ＳＴＡは、次のＤＩの始端までスリープモードまたは省電力モードに入り得る。
【００４６】
[0058]例として、全体的な間隔の持続時間ΔＣは、いくつかの態様では、約１〜５秒に等しくなり得る。他の態様では、全体的な間隔は、１秒よりも短いか、または５秒よりも長くなり得る。ＤＩの持続時間ΔＡは、いくつかの態様では、約１６ｍｓに等しくなるが、他の態様では、１６ｍｓよりも長くなることも短くなることもあり得る。ＰＩの持続時間ΔＢは、いくつかの態様では、持続時間ΔＡにほぼ等しくなり得る。他の態様では、持続時間ΔＢは、持続時間ΔＡよりも長くなることも短くなることもあり得る。
【００４７】
[0059]図４に、通信のためにレガシーシステムにおいて使用されるビーコンフレーム４００の一例を示す。図示のように、ビーコン４００は、メディアアクセス制御（ＭＡＣ）ヘッダ４０２と、フレーム本体４０４と、フレーム制御シーケンス（ＦＣＳ）４０６とを含む。図示のように、ＭＡＣヘッダ４０２は２４バイト長であり、フレーム本体４０４は可変長であり、ＦＣＳ４０６は４バイト長である。
【００４８】
[0060]ＭＡＣヘッダ４０２は、ビーコンフレーム４００のための基本的なルーティング情報を与えるように働く。図示の実施形態では、ＭＡＣヘッダ４０２は、フレーム制御（ＦＣ）フィールド４０８と、持続時間フィールド４１０と、宛先アドレス（ＤＡ）フィールド４１２と、ソースアドレス（ＳＡ）フィールド４１４と、基本サービスセット識別情報（ＢＳＳＩＤ）フィールド４１６と、シーケンス制御フィールド４１８とを含む。図示のように、ＦＣフィールド４０８は２バイト長であり、持続時間フィールド４１０は２バイト長であり、ＤＡフィールド４１２は６バイト長であり、ＳＡフィールド４１４は６バイト長であり、ＢＳＳＩＤフィールド４１６は６バイト長であり、シーケンス制御フィールド４１８は２バイト長である。
【００４９】
[0061]フレーム本体４０４は、送信ノードに関する詳細な情報を与えるように働く。図示の実施形態では、フレーム本体４０４は、タイムスタンプフィールド４２０と、ビーコン間隔フィールド４２２と、能力情報フィールド４２４と、サービスセット識別子（ＳＳＩＤ）フィールド４２６と、サポートレートフィールド４２８と、周波数ホッピング（ＦＨ）パラメータセット４３０と、直接シーケンスパラメータセット４３２と、競合なしパラメータセット４３４と、独立基本サービスセット（ＩＢＳＳ）パラメータセット４３６と、国情報フィールド４３８と、ＦＨホッピングパラメータフィールド４４０と、ＦＨパターンテーブル４４２と、電力制約フィールド４４４と、チャネル切替え告知フィールド４４６と、クワイエットフィールド４４８と、ＩＢＳＳ直接周波数選択（ＤＦＳ：direct frequency selection）フィールド４５０と、送信電力制御（ＴＰＣ：transmit power control）フィールド４５２と、実効放射電力（ＥＲＰ：effective radiated power）情報フィールド４５４と、拡張サポートレートフィールド４５６と、ロバストセキュリティネットワーク（ＲＳＮ）フィールド４５８とを含む。
【００５０】
[0062]図４に示すように、タイムスタンプフィールド４２０は８バイト長であり、ビーコン間隔フィールド４２２は２バイト長であり、能力情報フィールド４２４は２バイト長であり、サービスセット識別子（ＳＳＩＤ）フィールド４２６は可変長であり、サポートレートフィールド４２８は可変長であり、周波数ホッピング（ＦＨ）パラメータセット４３０は７バイト長であり、直接シーケンスパラメータセット４３２は２バイト長であり、競合なしパラメータセット４３４は８バイト長であり、独立基本サービスセット（ＩＢＳＳ）パラメータセット４３６は４バイト長であり、国情報フィールド４３８は可変長であり、ＦＨホッピングパラメータフィールド４４０は４バイト長であり、ＦＨパターンテーブル４４２は可変長であり、電力制約フィールド４４４は３バイト長であり、チャネル切替え告知フィールド４４６は６バイト長であり、クワイエットフィールド４４８は８バイト長であり、ＩＢＳＳ直接周波数選択（ＤＦＳ）フィールド４５０は可変長であり、送信電力制御（ＴＰＣ）フィールド４５２は４バイト長であり、実効放射電力（ＥＲＰ）情報フィールド４５４は３バイト長であり、拡張サポートレートフィールド４５６は可変長であり、ロバストセキュリティネットワーク（ＲＳＮ）フィールド４５８は可変長である。
【００５１】
[0063]図４をさらに参照すると、ビーコンフレーム４００は可変長であるが、少なくとも８９バイト長である。様々な無線環境では、ビーコンメッセージ４００中に含まれている情報の多くがまれに使用されるか、またはまったく使用されないことがある。したがって、低電力無線環境では、電力消費を低減するために、ビーコンフレーム４００の長さを低減することが望ましいことがある。その上、いくつかの無線環境は、低データレートを使用する。たとえば、８０２．１１ａｈ規格を実装するアクセスポイントは、比較的遅いデータ送信レートにより、ビーコンフレーム４００を送信するのに比較的長い時間を要し得る。したがって、ビーコンフレーム４００を送信するのにかかる時間を短縮するために、ビーコンフレーム４００の長さを低減することが望ましいことがある。
【００５２】
[0064]様々な実施形態では、近傍アウェアネットワークは、ビーコンフレーム４００を復号するように構成された既存のハードウェアに適合するようにフォーマットされた同期ビーコンを使用し得る。たとえば、近傍アウェアネットワーク中の１つまたは複数のＳＴＡおよび／またはＡＰは、ＮＡＮビーコンフレームを送信し得、ＮＡＮビーコンフレームは、ＮＡＮ中のＳＴＡにわたって同期を維持するために使用され得る。いくつかの実施形態では、ビーコンフレーム４００中の様々なフィールドが除去、サイズ変更、および／または再利用され得る。
【００５３】
[0065]図５に、例示的な近傍アウェアネットワークビーコンフレーム５００を示す。図示の実施形態では、ＮＡＮビーコンフレーム５００は、フレーム制御（ＦＣ）フィールド５０８と、持続時間フィールド５１０と、宛先アドレス（ＤＡ）フィールド５１２と、ソースアドレス（ＳＡ）フィールド５１４と、ＮＡＮ  ＢＳＳＩＤフィールド５１６と、シーケンス制御フィールド５１８と、高スループット（ＨＴ）制御フィールド５１９と、タイムスタンプ５２０と、発見期間フィールド５２２と、予約済み機能フィールド５２４と、ＳＳＩＤフィールド５２６と、発見ウィンドウ（ＤＷ）情報フィールド５２９と、フレーム検査シーケンス（ＦＣＳ）５０６とを含む。図示のように、フレーム制御（ＦＣ）フィールド５０８は２バイト長であり、持続時間フィールド５１０は２バイト長であり、宛先アドレス（ＤＡ）フィールド５１２は６バイト長であり、ソースアドレス（ＳＡ）フィールド５１４は６バイトであり、ＮＡＮ  ＢＳＳＩＤフィールド５１６は６バイト長であり、シーケンス制御フィールド５１８は２バイト長であり、高スループット（ＨＴ）制御フィールド５１９は４バイト長であり、タイムスタンプ５２０は８バイト長であり、発見期間フィールド５２２は２バイト長であり、予約済み機能フィールド５２４は２バイト長であり、ＳＳＩＤフィールド５２６は可変長であり、発見ウィンドウ（ＤＷ）情報フィールド５２９は可変長であり、フレーム検査シーケンス（ＦＣＳ）５０６は４バイト長である。様々な実施形態では、ＮＡＮビーコンフレーム５００は、図５に示した１つまたは複数のフィールドを省略し、および／または、本明細書で説明するフィールドのいずれかを含む、図５に示していない１つまたは複数のフィールドを含み得る。ＮＡＮビーコンフレーム５００中のフィールドは、異なる好適な長さのものであり得、異なる順序であり得る。
【００５４】
[0066]様々な実施形態では、フレーム制御（ＦＣ）フィールド５０８、持続時間フィールド５１０、宛先アドレス（ＤＡ）フィールド５１２、ソースアドレス（ＳＡ）フィールド５１４、シーケンス制御フィールド５１８、タイムスタンプ５２０、ＳＳＩＤフィールド５２６、およびフレーム検査シーケンス（ＦＣＳ）５０６のうちの１つまたは複数は、それぞれ、図４に関して上記で説明したフレーム制御（ＦＣ）フィールド４０８、持続時間フィールド４１０、宛先アドレス（ＤＡ）フィールド４１２、ソースアドレス（ＳＡ）フィールド４１４、シーケンス制御フィールド４１８、タイムスタンプ４２０、ＳＳＩＤフィールド４２６、およびフレーム検査シーケンス（ＦＣＳ）４０６を含み得る。したがって、フレーム制御（ＦＣ）フィールド５０８、持続時間フィールド５１０、宛先アドレス（ＤＡ）フィールド５１２、ソースアドレス（ＳＡ）フィールド５１４、ＮＡＮ  ＢＳＳＩＤフィールド５１６、およびシーケンス制御フィールド５１８は、図４のＭＡＣヘッダ４０２などのレガシーＭＡＣヘッダと同じフォーマットを有するように構成され得る。ＮＡＮビーコンフレーム５００は、改変なしに、レガシーハードウェアによって処理するようにフォーマットされ得る。
【００５５】
[0067]いくつかの実施形態では、ＮＡＮ  ＢＳＳＩＤフィールド５１６は、図４に関して上記で説明したＢＳＳＩＤフィールド４１６と同じフォーマットを有し得るが、別様に解釈され得る。一実施形態では、ＮＡＮ  ＢＳＳＩＤ５１６は、すべてのＮＡＮ同期フレーム中で使用される所定のＢＳＳＩＤまたはトークンＢＳＳＩＤを含み得る。したがって、異なるネットワークが同期フレーム中に同じＮＡＮ  ＢＳＳＩＤを含み得る。トークンＢＳＳＩＤは、プリセットされ得る、広く知られていることがある、および／または動的に決定され得る。いくつかの実施形態では、ＤＡフィールド５１２は、ブロードキャストアドレスに設定され得、ＳＡフィールド５１４は、送信者アドレスに設定され得る。
【００５６】
[0068]別の実施形態では、各ＮＡＮは、異なる（たとえば、擬似ランダム）ＮＡＮ  ＢＳＳＩＤ５１６を有し得る。一実施形態では、ＮＡＮ  ＢＳＳＩＤ５１６は、サービスアプリケーションに基づき得る。たとえば、アプリケーションＡによって作成されたＮＡＮは、アプリケーションＡの識別子に基づくＢＳＳＩＤ５１６を有し得る。いくつかの実施形態では、ＮＡＮ  ＢＳＳＩＤ５１６は、標準化団体によって定義され得る。いくつかの実施形態では、ＮＡＮ  ＢＳＳＩＤ５１６は、たとえば、デバイスロケーション、サーバに割り当てられたＩＤなどの他のコンテキスト情報および／またはデバイス特性に基づき得る。一例では、ＮＡＮ  ＢＳＳＩＤ５１６は、ＮＡＮの緯度ロケーションおよび経度ロケーションのハッシュを含み得る。
【００５７】
[0069]一実施形態では、フレーム制御フィールド５０８は、タイプインジケータを含み得る。ＦＣ５０８のタイプインジケータは、ＮＡＮビーコン５００が管理フレームであることを示し得る。一実施形態では、ＳＴＡ１０６（図１）は、タイプインジケータをビーコン管理フレームに設定し得る。いくつかの実施形態では、ＮＡＮビーコン５００の１つまたは複数のフィールドは、プローブ応答として送られ得、ＦＣ５０８のタイプインジケータは、フレームがプローブ応答であることを示し得る。
【００５８】
[0070]いくつかの実施形態では、タイムスタンプ５２０は、図４に関して上記で説明したタイムスタンプ４２０と同じフォーマットを有し得るが、別様に解釈され得る。一実施形態では、タイムスタンプ５２０は、送信のときにおける、またはフレームコンパイルのときにおける送信デバイスのクロック時間を含み得る。一実施形態では、ＳＴＡ１０６（図１）は、タイムスタンプ５２０を内部クロック値に設定し得る。
【００５９】
[0071]いくつかの実施形態では、発見期間フィールド５２２は、図４に関して上記で説明したビーコン間隔フィールド４２２と同じフォーマットを有し得るが、別様に解釈され得る。一実施形態では、発見期間フィールド５２２は、（図３に関して上記で説明した）発見期間３１０の長さを示し得る。たとえば、タイムスタンプ５２０は、発見間隔３０２が発見期間３１０に関していつ開始し得るかを示し得る。
【００６０】
[0072]いくつかの実施形態では、予約済み機能フィールド５２４は、図４に関して上記で説明した能力情報フィールド４２４と同じフォーマットを有し得るが、予約済みビットを含み得る。したがって、受信ＳＴＡ１０６（図１）は、レガシーハードウェアを使用してＮＡＮビーコン５００を復号し得るが、予約済み機能フィールド５２４の値を無視し得る。一実施形態では、予約済み機能フィールド５２４は、ＮＡＮに関する追加情報を含み得る。
【００６１】
[0073]いくつかの実施形態では、ＳＳＩＤフィールド５２６は、図４に関して上記で説明したＳＳＩＤフィールド４２６と同じフォーマットを有し得るが、別様に解釈され得る。一実施形態では、ＳＳＩＤフィールド４２６は、アプリケーション識別子を搬送し得る。一実施形態では、ＳＳＩＤフィールド４２６は省略され得る。一実施形態では、ＳＳＩＤフィールド４２６は、ネットワーク識別子を含み得る。
【００６２】
[0074]発見ウィンドウ情報フィールド５２９は、図３に関して上記で説明した発見ウィンドウ３０２に関する情報を提供し得る。様々な実施形態では、ＳＴＡ１０６（図１）は、発見ウィンドウ３０２中の任意の時間にＮＡＮビーコンを送信し得る。したがって、受信デバイスは、ＮＡＮビーコン５００の送信時間に基づいて発見ウィンドウ３０２の開始時間を決定することができないことがある。一実施形態では、発見ウィンドウ情報フィールド５２９は、（図３に関して上記で説明した）発見間隔３０２のオフセットまたは開始時間を示し得る。たとえば、タイムスタンプ５２０は、発見間隔３０２が発見期間３１０に関していつ開始し得るかを示し得る。したがって、受信ＳＴＡ１０６は、発見ウィンドウ情報フィールド５２９に基づいて起動時間を決定し得る。
【００６３】
[0075]いくつかの実施形態では、ＮＡＮアウェアでない１つまたは複数のデバイスがＮＡＮビーコン５００を受信し得る。いくつかの構成では、そのようなレガシーデバイスは、図４に関して上記で説明したビーコン４００などのレガシービーコンとしてＮＡＮビーコン５００を解釈し得る。たとえば、レガシーデバイスは、複数の異なるＮＡＮ  ＢＳＳＩＤフィールド５１６を有する複数のＮＡＮビーコン５００を受信し得る。いくつかの実施形態では、ＮＡＮビーコン５００は、レガシーデバイスがＮＡＮビーコン５００を無視または破棄し得るように構成され得る。他の実施形態では、ＮＡＮビーコン５００は、レガシーデバイスに可視である異なるＮＡＮ  ＢＳＳＩＤフィールド５１６の数を低減するように構成され得る。
【００６４】
[0076]一実施形態では、ＤＡ５１２は、ビーコン５００がＮＡＮビーコンであることを示すマルチキャストアドレスまたはアドレスのグループに設定され得る。ビーコン５００がＮＡＮビーコンであることを示すマルチキャストアドレスまたはアドレスのグループは、あらかじめ決定され得る、メモリ２０６（図２）に記憶され得る、および／または標準化団体によって設定され得る。ＮＡＮアウェアなデバイスは、ＮＡＮマルチキャストアドレスまたはアドレスのグループをリッスンするように構成され得る。レガシーデバイスは、ＮＡＮマルチキャストアドレスまたはアドレスのグループを無視または破棄するように構成され得る。
【００６５】
[0077]いくつかの実施形態では、ＳＡ５１４は、ＮＡＮ  ＢＳＳＩＤ５１６とは異なるアドレスに設定され得る。たとえば、ＳＡ５１４は、ワイヤレスデバイス２０２（図２）のアドレスに設定され得る。上記で説明したように、ＮＡＮ  ＢＳＳＩＤ５１６は、すべてのＮＡＮ同期フレーム中で使用される所定のＢＳＳＩＤまたはトークンＢＳＳＩＤ、アプリケーションベースのＢＳＳＩＤなどを含み得る。いくつかのレガシーデバイスは、ビーコンフレームが同一のＳＡ５１４の値とＢＳＳＩＤ５１６の値とを有すると仮定し得るので、いくつかのレガシーデバイスは、ＳＡ５１４フィールドとＢＳＳＩＤ５１６フィールドとの中に異なる値を有するＮＡＮビーコン５００を破棄または無視し得る。
【００６６】
[0078]他の実施形態では、ＳＡ５１４は、ワイヤレスデバイス２０２（図２）のアドレスとは無関係に、ＮＡＮ  ＢＳＳＩＤ５１６に設定され得る。上記で説明したように、ＮＡＮ  ＢＳＳＩＤ５１６は、すべてのＮＡＮ同期フレーム中で使用される所定のＢＳＳＩＤまたはトークンＢＳＳＩＤを含み得る。いくつかのレガシーデバイスが、ビーコンフレーム中に見られる別個のＢＳＳＩＤ値を追跡し得るので、使用される異なるＮＡＮ  ＢＳＳＩＤ  ５１６の値の数を低減することは、レガシーデバイス上で追跡される異なるネットワークの数を低減し得る。
【００６７】
[0079]図６に、例示的な近傍アウェアネットワーク発見フレーム６００を示す。図示の実施形態では、ＮＡＮ発見フレーム６００は、フレーム制御（ＦＣ）フィールド６０８と、持続時間フィールド６１０と、宛先アドレス（ＤＡ）フィールド６１２と、ソースアドレス（ＳＡ）フィールド６１４と、ＮＡＮ  ＢＳＳＩＤフィールド６１６と、シーケンス制御フィールド６１８と、高スループット（ＨＴ）制御フィールド６１９と、カテゴリーフィールド６６０と、アクションフィールド６６２と、サービス識別子６６４と、接続セットアップ情報フィールド６６６と、フレーム検査シーケンス（ＦＣＳ）６０６とを含む。図示のように、フレーム制御（ＦＣ）フィールド６０８は２バイト長であり、持続時間フィールド６１０は２バイト長であり、宛先アドレス（ＤＡ）フィールド６１２は６バイト長であり、ソースアドレス（ＳＡ）フィールド６１４は６バイト長であり、ＮＡＮ  ＢＳＳＩＤフィールド６１６は６バイト長であり、シーケンス制御フィールド６１８は２バイト長であり、高スループット（ＨＴ）制御フィールド６１９は４バイト長であり、カテゴリーフィールド６６０は１バイト長であり、アクションフィールド６６２は１バイト長であり、フレーム検査シーケンス（ＦＣＳ）６０６は４バイト長である。様々な実施形態では、ＮＡＮ発見フレーム６００は、図６に示した１つまたは複数のフィールドを省略し、および／または、本明細書で説明するフィールドのいずれかを含む、図６に示していない１つまたは複数のフィールドを含み得る。ＮＡＮ発見フレーム６００中のフィールドは、異なる好適な長さのものであり得、異なる順序であり得る。
【００６８】
[0080]様々な実施形態では、フレーム制御（ＦＣ）フィールド６０８、持続時間フィールド６１０、宛先アドレス（ＤＡ）フィールド６１２、ソースアドレス（ＳＡ）フィールド６１４、シーケンス制御フィールド６１８、タイムスタンプ７２０、およびフレーム検査シーケンス（ＦＣＳ）６０６のうちの１つまたは複数は、それぞれ、図４に関して上記で説明したフレーム制御（ＦＣ）フィールド４０８、持続時間フィールド４１０、宛先アドレス（ＤＡ）フィールド４１２、ソースアドレス（ＳＡ）フィールド４１４、シーケンス制御フィールド４１８、タイムスタンプ４２０およびフレーム検査シーケンス（ＦＣＳ）４０６を含み得る。したがって、フレーム制御（ＦＣ）フィールド６０８、持続時間フィールド６１０、宛先アドレス（ＤＡ）フィールド６１２、ソースアドレス（ＳＡ）フィールド６１４、ＮＡＮ  ＢＳＳＩＤフィールド６１６、およびシーケンス制御フィールド６１８は、図４のＭＡＣヘッダ４０２などのレガシーＭＡＣヘッダと同じフォーマットを有するように構成され得る。ＮＡＮ発見フレーム６００は、改変なしに、レガシーハードウェアによって処理するようにフォーマットされ得る。
【００６９】
[0081]いくつかの実施形態では、宛先アドレスフィールド６１２は、図４に関して上記で説明した宛先アドレスフィールド４１２と同じフォーマットを有し得るが、別様に解釈され得る。一実施形態では、宛先アドレスフィールド６１２は、すべてのＮＡＮ同期フレーム中で使用される所定のＢＳＳＩＤまたはトークンＢＳＳＩＤを含み得る。トークンＢＳＳＩＤは、プリセットされ得る、広く知られていることがある、および／または動的に決定され得る。いくつかの実施形態では、宛先アドレスフィールド６１２は、以下でより詳細に説明するＮＡＮ  ＢＳＳＩＤフィールド６１６と同じ値に設定され得る。いくつかの実施形態では、ネットワーク中のいくつかのデバイスは、宛先アドレスフィールド６１２のフィルタ処理に基づいてパケットを無視するか、ドロップするか、または復号するのを停止するように構成され得る。一実施形態では、宛先アドレスフィールド６１２がＮＡＮ  ＢＳＳＩＤに設定されるとき、デバイスは、発見フレーム６００全体を読み取るように構成され得る。一実施形態では、発見フレーム６００を受信するデバイスは、要求側アドレスフィールドに基づいてそれがアドレス指定されているかどうかを決定し得る。
【００７０】
[0082]いくつかの実施形態では、ＮＡＮ  ＢＳＳＩＤフィールド６１６は、図４に関して上記で説明したＢＳＳＩＤフィールド４１６と同じフォーマットを有し得るが、別様に解釈され得る。一実施形態では、ＮＡＮ  ＢＳＳＩＤ６１６は、すべてのＮＡＮ同期フレーム中で使用される所定のＢＳＳＩＤまたはトークンＢＳＳＩＤを含み得る。したがって、異なるネットワークが同期フレーム中に同じＮＡＮ  ＢＳＳＩＤを含み得る。トークンＢＳＳＩＤは、プリセットされ得る、広く知られていることがある、および／または動的に決定され得る。いくつかの実施形態では、ＤＡフィールド６１２は、ブロードキャストアドレスに設定され得、ＳＡフィールド６１４は、送信者アドレスに設定され得る。
【００７１】
[0083]別の実施形態では、各ＮＡＮは、異なる（たとえば、擬似ランダム）ＮＡＮ  ＢＳＳＩＤを有し得る。一実施形態では、ＮＡＮ  ＢＳＳＩＤは、サービスアプリケーションに基づき得る。たとえば、アプリケーションＡによって作成されたＮＡＮは、アプリケーションＡの識別子に基づくＢＳＳＩＤを有し得る。いくつかの実施形態では、ＮＡＮ  ＢＳＳＩＤ５１６は、標準化団体によって定義され得る。いくつかの実施形態では、ＮＡＮ  ＢＳＳＩＤ５１６は、たとえば、デバイスロケーション、サーバに割り当てられたＩＤなどの他のコンテキスト情報および／またはデバイス特性に基づき得る。一例では、ＮＡＮ  ＢＳＳＩＤ５１６は、ＮＡＮの緯度ロケーションおよび経度ロケーションのハッシュを含み得る。
【００７２】
[0084]一実施形態では、フレーム制御フィールド６０８は、タイプインジケータを含み得る。ＦＣ６０８のタイプインジケータは、ＮＡＮ発見６００が管理フレームであることを示し得る。様々な実施形態では、ＮＡＮ発見フレーム６００は、公開アクションフレームであり得る。サービス識別子６６４、接続セットアップ情報６６６、および／または追加のＮＡＮ情報は、公開アクションフレーム中で情報要素として搬送され得る。一実施形態では、ＳＴＡ１０６（図１）は、タイプインジケータを公開アクションフレームに設定し得る。
【００７３】
[0085]一実施形態では、サービス識別子６６４は、ＮＡＮ発見フレーム６００についてのサービス情報を示し得る。一実施形態では、ＳＡフィールド６１４は、送信デバイスのデバイス識別子を含み得る。一実施形態では、接続セットアップ情報フィールド６６６は、たとえば、接続確立のためのＷｉＦｉ  ｄｉｒｅｃｔの使用などの１つまたは複数の接続パラメータを示す情報を含み得る。
【００７４】
[0086]図７に、図１のワイヤレス通信システム１００内で採用され得るワイヤレス通信の例示的な方法のフローチャート７００を示す。本方法は、図２に示したワイヤレスデバイス２０２など、本明細書で説明するデバイスによって全体的にまたは部分的に実装され得る。本明細書では、図示された方法について、図１に関して上記で説明したワイヤレス通信システム１００、および図２に関して上記で説明したワイヤレスデバイス２０２を参照しながら説明するが、図示された方法は、本明細書で説明する別のデバイス、または任意の他の好適なデバイスによって実装され得る。本明細書では、図示された方法について、特定の順序に関して説明するが、様々な実施形態では、本明細書のブロックは異なる順序で実行されるか、または省略され得、さらなるブロックが追加され得る。
【００７５】
[0087]最初に、ブロック７１０において、デバイス２０２は発見期間を決定する。たとえば、ＳＴＡ１０６ａは、ＮＡＮの発見期間３１０（図３）を決定し得る。一実施形態では、プロセッサ２０４は、ＮＡＮビーコン５００（図５）の発見期間フィールド５２２（図５）中の発見期間３１０を符号化し得る。
【００７６】
[0088]次に、ブロック７２０において、デバイス２０２は、発見ウィンドウの開始時間を示す発見ウィンドウ情報要素を生成する。たとえば、ＳＴＡ１０６ａは、発見ウィンドウ３０２の開始時間に基づいて発見ウィンドウ情報５２９（図５）を生成し得る。
【００７７】
[0089]次に、ブロック７２５において、デバイス２０２は、発見期間と発見ウィンドウ情報要素とを備えるＮＡＮビーコンまたは他の同期フレームを生成する。一例として、ＳＴＡ１０６ａは、ＮＡＮ  ＢＳＳＩＤフィールド５１６（図５）を含むＮＡＮビーコン５００（図５）を生成し得る。一実施形態では、プロセッサ２０４は、ＮＡＮビーコン５００（図５）の発見ウィンドウ情報フィールド５２９（図５）中の発見ウィンドウ３０２の開始時間を符号化し得る。一実施形態では、発見ウィンドウ情報は、ＮＡＮビーコン５００が送られる同じ発見ウィンドウ３０２の開始時間を含む。
【００７８】
[0090]いくつかの実施形態では、ＮＡＮビーコンは、後続の発見期間の時間を示す時間同期機能（ＴＳＦ：time synchronization function）を含む情報要素をさらに含む。たとえば、ＮＡＮビーコン５００（図５）は、図８〜図１１に関して以下でさらに詳細に説明する情報要素８００、９００、１０００、および／または１１００のいずれかを含み得る。いくつかの実施形態では、時間同期機能（ＴＳＦ）は、現在の発見ウィンドウの時間を示し得る。ＮＡＮビーコンは、発見期間と発見ウィンドウ情報とを含み得る。たとえば、ＳＴＡ１０６ａは、発見期間フィールド５２２（図５）と発見ウィンドウ情報フィールド５２９（図５）とを含むＮＡＮビーコン５００（図５）を生成し得る。
【００７９】
[0091]いくつかの実施形態では、ＮＡＮビーコンは、後続の発見期間の時間を示す時間同期機能（ＴＳＦ）を含む情報要素をさらに含む。たとえば、ＮＡＮビーコン５００（図５）は、図８〜図１１に関して以下でさらに詳細に説明する情報要素８００、９００、１０００、および／または１１００のいずれかを含み得る。いくつかの実施形態では、時間同期機能（ＴＳＦ）は、現在の発見ウィンドウの時間を示し得る。
【００８０】
[0092]いくつかの実施形態では、ＮＡＮビーコンは、送信アドレスを含む情報要素をさらに含む。たとえば、ＮＡＮビーコン５００（図５）は、図１０〜図１３に関して以下でさらに詳細に説明する情報要素１０００および１２００または属性１１００および１３００のいずれかを含み得る。いくつかの実施形態では、ソースアドレスフィールドがＮＡＮ  ＢＳＳＩＤに等しく設定されたとき、ＮＡＮビーコン５００は、送信デバイスのアドレスを含み得る。
【００８１】
[0093]いくつかの実施形態では、ＮＡＮビーコンは、フレーム制御フィールドと、持続時間フィールドと、宛先アドレスと、ソースアドレスと、ＮＡＮ  ＢＳＳＩＤと、シーケンス制御フィールドと、高スループット制御フィールドと、タイムスタンプと、予約済み機能フィールドと、フレーム検査とをさらに含む。様々な実施形態では、フレーム制御フィールドは２バイトであり得、持続時間フィールドは２バイトであり得、宛先アドレスは６バイトであり得、ソースアドレスは６バイトであり得、ＮＡＮ  ＢＳＳＩＤは６バイトであり得、シーケンス制御フィールドは２バイトであり得、高スループット制御フィールドは４バイトであり得、タイムスタンプは８バイトであり得、発見期間フィールドは２バイトであり得、予約済み機能フィールドは予約済みの２バイトであり得、フレーム検査は４バイトであり得る。たとえば、ＮＡＮビーコンは、フレーム制御（ＦＣ）フィールド５０８と、持続時間フィールド５１０と、宛先アドレス（ＤＡ）フィールド５１２と、ソースアドレス（ＳＡ）フィールド５１４と、ＮＡＮ  ＢＳＳＩＤフィールド５１６と、シーケンス制御フィールド５１８と、高スループット（ＨＴ）制御フィールド５１９と、タイムスタンプ５２０と、発見期間フィールド５２２と、予約済み機能フィールド５２４と、ＳＳＩＤフィールド５２６と、発見ウィンドウ（ＤＷ）情報フィールド５２９と、フレーム検査シーケンス（ＦＣＳ）５０６とを含み得る、図５に関して上記で説明したＮＡＮビーコン５００であり得る。
【００８２】
[0094]一実施形態では、フレーム制御フィールドは、ＮＡＮビーコンがビーコン管理フレームであるという指示を含み得る。一実施形態では、フレーム制御フィールドは、ＮＡＮビーコンがプローブ応答であるという指示を含み得る。一実施形態では、宛先アドレスは、ブロードキャストアドレスを含み得る。一実施形態では、宛先アドレスは、ビーコンがＮＡＮビーコンであることを示すマルチキャストアドレスまたはアドレスのグループを含み得る。
【００８３】
[0095]一実施形態では、ソースアドレスは、ＮＡＮ  ＢＳＳＩＤとは異なる。たとえば、ソースアドレスは、ワイヤレスデバイスのアドレスを含み得、ＮＡＮ  ＢＳＳＩＤは、標準化団体定義ＢＳＳＩＤとアプリケーション定義ＢＳＳＩＤとのうちの少なくとも１つを含み得る。別の実施形態では、ソースアドレスは、ワイヤレスデバイスのアドレスとは無関係に、ＮＡＮ  ＢＳＳＩＤを含み得る。
【００８４】
[0096]タイムスタンプは、ビーコン生成のときのＳＴＡ１０６ａのクロック時間を含み得る。ＮＡＮビーコンは、標準化団体定義ＳＳＩＤとアプリケーション定義ＳＳＩＤとのうちの少なくとも１つを含むＳＳＩＤ要素をさらに含み得る。
【００８５】
[0097]その後、ブロック７３０において、ワイヤレスデバイス２０２は、ＮＡＮビーコンまたは他の同期フレームを送信する。たとえば、ＳＴＡ１０６ａは、ＮＡＮビーコン５００（図５）を送信し得る。いくつかの実施形態では、送信機２１０はＮＡＮビーコンを送信し得る。
【００８６】
[0098]一実施形態では、図７に示した方法は、決定回路と、生成回路と、送信回路とを含み得るワイヤレスデバイスにおいて実装され得る。ワイヤレスデバイスは、本明細書で説明する簡略化されたワイヤレスデバイスよりも多くの構成要素を有し得る。本明細書で説明するワイヤレスデバイスは、特許請求の範囲内で実装形態のいくつかの顕著な特徴を説明するのに有用な構成要素を含む。
【００８７】
[0099]決定回路は、発見期間を決定するように構成され得る。決定回路は、プロセッサ２０４（図２）およびメモリ２０６（図２）のうちの１つまたは複数を含み得る。いくつかの実装形態では、決定するための手段が決定回路を含み得る。
【００８８】
[00100]生成回路は、発見ウィンドウ情報とＮＡＮビーコンとを生成するように構成され得る。生成回路は、プロセッサ２０４（図２）およびメモリ２０６（図２）のうちの１つまたは複数を含み得る。いくつかの実装形態では、生成するための手段が生成回路を含み得る。
【００８９】
[00101]送信回路は、ＮＡＮビーコンを送信するように構成され得る。送信回路は、送信機２１０（図２）、アンテナ２１６（図２）、およびトランシーバ２１４（図２）のうちの１つまたは複数を含み得る。いくつかの実装形態では、送信するための手段が送信回路を含み得る。
【００９０】
[00102]図８に、図１のワイヤレス通信システム１００内で採用され得る例示的な情報要素８００を示す。様々な実施形態では、たとえば、ＡＰ１０４（図１）、ＳＴＡ１０６ａ〜１０６ｄ（図１）、および／またはワイヤレスデバイス２０２（図２）など、本明細書で説明する任意のデバイス、または別の互換デバイスは、情報要素８００を送信し得る。ワイヤレス通信システム１００における１つまたは複数のメッセージは、たとえば、ビーコン４００（図４）、ビーコン５００（図５）、発見フレーム６００（図６）、および／またはプローブ応答などの情報要素８００を含み得る。一実施形態では、情報要素８００は、図５に関して上記で説明した発見期間フィールド５２２および／またはＤＷ情報フィールド５２９を含み得る、および／またはそれを置き換え得る。
【００９１】
[00103]図示の実施形態では、情報要素８００は、要素識別（ＩＤ）フィールド８１０と、長さフィールド８２０と、次の発見期間（ＤＰ）のタイミング同期（ＴＳＦ）フィールド８３０と、発見ウィンドウ（ＤＷ）持続時間フィールド８４０と、発見期間（ＤＰ）フィールド８５０とを含む。情報要素８００は、追加のフィールドを含み得、フィールドは、再配置、除去、および／またはサイズ変更され得る。
【００９２】
[00104]図示の要素識別子フィールド８１０は１オクテット長である。いくつかの実装形態では、要素識別子フィールド８１０は、２、５、または１２オクテット長であり得る。いくつかの実装形態では、要素識別子フィールド８１０は、信号ごとにおよび／またはサービスプロバイダ間で長さが変化するなど、可変長であり得る。要素識別子フィールド８１０は、要素を発見情報要素８００として識別する値を含み得る。
【００９３】
[00105]長さフィールド８２０は、情報要素８００の長さまたは後続のフィールドの全長を示すために使用され得る。図８に示す長さフィールド８２０は１オクテット長である。いくつかの実装形態では、長さフィールド８２０は、２、５、または１２オクテット長であり得る。いくつかの実装形態では、長さフィールド８２０は、信号ごとにおよび／またはサービスプロバイダ間で長さが変化するなど、可変長であり得る。
【００９４】
[00106]次のＤＰのＴＳＦフィールド８３０は、次のＤＰの開始時間（たとえば、図３に関して上記で説明した次の発見期間３１０の開始）を示し得る。いくつかの実施形態では、開始時間は、タイムスタンプ４２０（図４）および／または５２０（図５）のフォーマットのタイムスタンプを介して示され得る。様々な実施形態では、開始時間は、絶対タイムスタンプまたは相対タイムスタンプを使用して示され得る。次のＤＰのＴＳＦフィールド８３０は、次のＤＰの開始時間をｍｓ、μｓ、時間単位（ＴＵ）、または別のユニットで示し得る。いくつかの実施形態では、時間単位は１０２４μｓであり得る。図示の次のＤＰのＴＳＦフィールド８３０は、８オクテット長である。いくつかの実装形態では、次のＤＰのＴＳＦフィールド８３０は、２、５、または１２オクテット長であり得る。
【００９５】
[00107]いくつかの実施形態では、次の発見期間のＴＳＦの代わりに、またはそれに加えて、現在のＤＰのＴＳＦが示され得る。いくつかの実施形態では、現在のおよび／または次のＤＰのＴＳＦの１つまたは複数の最下位ビットが示され得る。たとえば、２つの最下位バイトが示され得る。様々な実施形態では、３つ、４つ、５つ、６つ、および７つの最下位バイトが示され得る。
【００９６】
[00108]ＤＷ持続時間フィールド８４０は、ＤＷの持続時間（たとえば、図３に関して上記で説明したＤＩ３０２の持続時間）を示し得る。様々な実施形態では、ＤＷ持続時間フィールド８４０は、ＤＷの持続時間をｍｓ、μｓ、時間単位（ＴＵ）、または別のユニットで示し得る。いくつかの実施形態では、時間単位は１０２４μｓであり得る。図示のＤＷ持続時間フィールド８４０は２オクテット長である。いくつかの実装形態では、ＤＷ持続時間フィールド８４０は、４、６、または８オクテット長であり得る。
【００９７】
[00109]いくつかの実施形態では、発見期間フィールド８５０は、それぞれ図５および図４に関して上記で説明した発見期間フィールド５２２および／またはビーコン間隔フィールド４２２と同じフォーマットを有し得る。一実施形態では、発見期間フィールド８５０は、（図３に関して上記で説明した）発見期間３１０の長さを示し得る。様々な実施形態では、発見期間フィールド８５０は、ＤＰ３１０の長さをｍｓ、μｓ、時間単位（ＴＵ）、または別のユニットで示し得る。いくつかの実施形態では、時間単位は１０２４μｓであり得る。図示の発見期間フィールド８５０は２オクテット長と８オクテット長の間である。いくつかの実装形態では、発見期間フィールド８５０は、２、４、６、または８オクテット長であり得る。
【００９８】
[00110]一実施形態では、発見期間フィールド８５０は、別の発見期間フィールドがＤＰの長さを示すには短すぎるときに使用され得る。たとえば、図５を参照すると、発見期間フィールド５２２は２バイト長として示されている。ＤＰが、２バイトで表され得ない長さを備えている場合、発見期間フィールド５２２は、所定の値（０など）に設定されて、ＤＰが別のフィールドで示されることを示し得る。たとえば、ビーコン５００を受信するワイヤレスデバイス２０２（図２）は、発見期間フィールド５２２が０であるとき、発見期間フィールド８５０を使用するように構成され得る。
【００９９】
[00111]いくつかの実施形態では、ＡＰ１０４は、ＩＥ８００に加えて、またはその代わりに、情報要素の属性中で次のＤＰのＴＳＦと、ＤＷ持続時間と、ＤＰとを示し得る。たとえば、属性は、ベンダー固有のＩＥであり得る。
【０１００】
[00112]図９に、図１のワイヤレス通信システム１００内で採用され得る別の例示的な情報要素９００を示す。様々な実施形態では、たとえば、ＡＰ１１４（図１）、ＳＴＡ１１６ａ〜１０６ｄ（図１）、および／またはワイヤレスデバイス２０２（図２）など、本明細書で説明する任意のデバイス、または別の互換デバイスは、情報要素９００を送信し得る。ワイヤレス通信システム１００における１つまたは複数のメッセージは、たとえば、ビーコン４００（図４）、ビーコン５００（図５）、発見フレーム６００（図６）、および／またはプローブ応答などの情報要素９００を含み得る。一実施形態では、情報要素９００は、図５に関して上記で説明した発見期間フィールド５２２および／またはＤＷ情報フィールド５２９を含み得る、および／またはそれを置き換え得る。
【０１０１】
[00113]図示の実施形態では、情報要素９００は、要素識別（ＩＤ）フィールド９１０と、長さフィールド９２０と、組織固有識別子（ＯＵＩ）フィールド９３０と、ＯＵＩタイプフィールド９３５と、ＤＷ属性フィールド９４０とを含む。情報要素９００は、追加のフィールドを含み得、フィールドは、再配置、除去、および／またはサイズ変更され得る。
【０１０２】
[00114]図示の要素識別子フィールド９１０は１オクテット長である。いくつかの実装形態では、要素識別子フィールド９１０は、２、５、または１２オクテット長であり得る。いくつかの実装形態では、要素識別子フィールド９１０は、信号ごとにおよび／またはサービスプロバイダ間で長さが変化するなど、可変長であり得る。要素識別子フィールド９１０は、要素をベンダー固有の発見情報要素９００として識別する値を含み得る。
【０１０３】
[00115]長さフィールド９２０は、情報要素９００の長さまたは後続のフィールドの全長を示すために使用され得る。図９に示す長さフィールド９２０は１オクテット長である。いくつかの実装形態では、長さフィールド９２０は、２、５、または１２オクテット長であり得る。いくつかの実装形態では、長さフィールド９２０は、信号ごとにおよび／またはサービスプロバイダ間で長さが変化するなど、可変長であり得る。
【０１０４】
[00116]ＯＵＩフィールド９３０は、（「指名先」と呼ばれる）ベンダー、メーカー、または他の団体を広域的にまたは世界的に一意に識別するために使用され得、指名先の排他的使用のために（ＭＡＣアドレス、グループアドレス、サブネットワークアクセスプロトコル識別子など）派生識別子の可能な各タイプのブロックを効果的に予約し得る。図９に示すＯＵＩフィールド９３０は３オクテット長である。いくつかの実装形態では、ＯＵＩフィールド９３０は、２、５、または１２オクテット長であり得る。いくつかの実装形態では、ＯＵＩフィールド９３０は、信号ごとにおよび／またはサービスプロバイダ間で長さが変化するなど、可変長であり得る。
【０１０５】
[00117]ＯＵＩタイプフィールド９３５は、たとえば、ＭＡＣ識別子、コンテキスト依存識別子（ＣＤＩ：context dependent identifier）、拡張一意識別子（ＥＵＩ：extended unique identifier）など、ＯＵＩフィールド９３５のタイプを示すために使用され得る。図９に示すＯＵＩタイプフィールド９３５は１オクテット長である。いくつかの実装形態では、ＯＵＩタイプフィールド９３５は、２、５、または１２オクテット長であり得る。いくつかの実装形態では、ＯＵＩタイプフィールド９３５は、信号ごとにおよび／またはサービスプロバイダ間で長さが変化するなど、可変長であり得る。
【０１０６】
[00118]ＤＷ属性９４０は、次のＤＰのＴＳＦ、ＤＷ持続時間、および／またはＤＰを示す属性要素をカプセル化し得る。図９に示すＤＷ属性９４０は、可変長である。いくつかの実装形態では、ＤＷ属性９４０は、１５〜２１オクテット長であり得る。ＤＷ属性９４０は、属性ＩＤ９５０と、長さフィールド９６０と、次のＤＰのＴＳＦフィールド９７０と、ＤＷ持続時間フィールド９８０と、ＤＰフィールド９９０とを含む。ＤＷ属性９４０は、追加のフィールドを含み得、フィールドは、再配置、除去、および／またはサイズ変更され得る。
【０１０７】
[00119]図示の属性識別子フィールド９５０は１オクテット長である。いくつかの実装形態では、属性識別子フィールド９５０は、２、５、または１２オクテット長であり得る。いくつかの実装形態では、属性識別子フィールド９５０は、信号ごとにおよび／またはサービスプロバイダ間で長さが変化するなど、可変長であり得る。属性識別子フィールド９５０は、要素を発見ウィンドウ属性９４０として識別する値を含み得る。
【０１０８】
[00120]長さフィールド９６０は、発見ウィンドウ属性９４０の長さまたは後続のフィールドの全長を示すために使用され得る。図９に示す長さフィールド９６０は２オクテット長である。いくつかの実装形態では、長さフィールド９６０は、１、５、または１２オクテット長であり得る。いくつかの実装形態では、長さフィールド９６０は、信号ごとにおよび／またはサービスプロバイダ間で長さが変化するなど、可変長であり得る。
【０１０９】
[00121]次のＤＰのＴＳＦフィールド９７０は、次のＤＰの開始時間（たとえば、図３に関して上記で説明した次の発見期間３１０の開始）を示し得る。いくつかの実施形態では、開始時間は、タイムスタンプ４２０（図４）および／または５２０（図５）のフォーマットのタイムスタンプを介して示され得る。様々な実施形態では、開始時間は、絶対タイムスタンプまたは相対タイムスタンプを使用して示され得る。次のＤＰのＴＳＦフィールド９７０は、次のＤＰの開始時間をｍｓ、μｓ、時間単位（ＴＵ）、または別のユニットで示し得る。いくつかの実施形態では、時間単位は１０２４μｓであり得る。図示の次のＤＰのＴＳＦフィールド９７０は、８オクテット長である。いくつかの実装形態では、次のＤＰのＴＳＦフィールド９７０は、２、５、または１２オクテット長であり得る。
【０１１０】
[00122]いくつかの実施形態では、次の発見期間のＴＳＦの代わりに、またはそれに加えて、現在のＤＰのＴＳＦが示され得る。いくつかの実施形態では、現在のおよび／または次のＤＰのＴＳＦの１つまたは複数の最下位ビットが示され得る。たとえば、２つの最下位バイトが示され得る。様々な実施形態では、３つ、４つ、５つ、６つ、および７つの最下位バイトが示され得る。
【０１１１】
[00123]ＤＷ持続時間フィールド９８０は、ＤＷの持続時間（たとえば、図３に関して上記で説明したＤＩ３０２の持続時間）を示し得る。様々な実施形態では、ＤＷ持続時間フィールド９８０は、ＤＷの持続時間をｍｓ、μｓ、時間単位（ＴＵ）、または別のユニットで示し得る。いくつかの実施形態では、時間単位は１０２４μｓであり得る。図示のＤＷ持続時間フィールド９８０は２オクテット長である。いくつかの実装形態では、ＤＷ持続時間フィールド９８０は、４、６、または８オクテット長であり得る。
【０１１２】
[00124]いくつかの実施形態では、発見期間フィールド９９０は、それぞれ図５および図４に関して上記で説明した発見期間フィールド５２２および／またはビーコン間隔フィールド４２２と同じフォーマットを有し得る。一実施形態では、発見期間フィールド９９０は、（図３に関して上記で説明した）発見期間３１０の長さを示し得る。様々な実施形態では、発見期間フィールド９９０は、ＤＰ３１０の長さをｍｓ、μｓ、時間単位（ＴＵ）、または別のユニットで示し得る。いくつかの実施形態では、時間単位は１０２４μｓであり得る。図示の発見期間フィールド９９０は２オクテット長と８オクテット長の間である。いくつかの実装形態では、発見期間フィールド９９０は、２、４、６、または８オクテット長であり得る。
【０１１３】
[00125]一実施形態では、発見期間フィールド９９０は、別の発見期間フィールドがＤＰの長さを示すには短すぎるときに使用され得る。たとえば、図５を参照すると、発見期間フィールド５２２は２バイト長として示されている。ＤＰが、２バイトで表され得ない長さを備えている場合、発見期間フィールド５２２は、所定の値（０など）に設定されて、ＤＰが別のフィールドで示されることを示し得る。たとえば、ビーコン５００を受信するワイヤレスデバイス２０２（図２）は、発見期間フィールド５２２が０であるとき、発見期間フィールド９９０を使用するように構成され得る。
【０１１４】
[00126]いくつかの実施形態では、ＡＰ１０４などの送信デバイスは、送信アドレスをさらに示し得る。例えば、ＳＡフィールド５１４（図５）がＮＡＮ  ＢＳＳＩＤ５１６（図５）に設定される実施形態では、送信アドレスは、ＳＡフィールド５１４の代わりに情報要素中で搬送され得る。より一般的には、送信デバイス２０２（図２）は、たとえば、ビーコン５００（図５）、発見フレーム６００（図６）、または任意の他のフレームなどのフレームの本体中に送信アドレスを示し得る。
【０１１５】
[00127]図１０に、図１のワイヤレス通信システム１００内で採用され得る別の例示的な情報要素１０００を示す。様々な実施形態では、たとえば、ＡＰ１２４（図１）、ＳＴＡ１２６ａ〜１０６ｄ（図１）、および／またはワイヤレスデバイス２０２（図２）など、本明細書で説明する任意のデバイス、または別の互換デバイスは、情報要素１０００を送信し得る。ワイヤレス通信システム１００における１つまたは複数のメッセージは、たとえば、ビーコン４００（図４）、ビーコン５００（図５）、発見フレーム６００（図６）、および／またはプローブ応答などの情報要素１０００を含み得る。一実施形態では、情報要素１０００は、図５に関して上記で説明した発見期間フィールド５２２および／またはＤＷ情報フィールド５２９を含み得る、および／またはそれを置き換え得る。
【０１１６】
[00128]図示の実施形態では、情報要素１０００は、要素識別（ＩＤ）フィールド１０１０と、長さフィールド１０２０と、次の発見期間（ＤＰ）のタイミング同期（ＴＳＦ）フィールド１０３０と、発見ウィンドウ（ＤＷ）持続時間フィールド１０４０と、発見期間（ＤＰ）フィールド１０５０と、送信アドレス１０６０とを含む。情報要素１０００は、追加のフィールドを含み得、フィールドは、再配置、除去、および／またはサイズ変更され得る。
【０１１７】
[00129]図示の要素識別子フィールド１０１０は１オクテット長である。いくつかの実装形態では、要素識別子フィールド１０１０は、２、５、または１２オクテット長であり得る。いくつかの実装形態では、要素識別子フィールド１０１０は、信号ごとにおよび／またはサービスプロバイダ間で長さが変化するなど、可変長であり得る。要素識別子フィールド１０１０は、要素を発見情報要素１０００として識別する値を含み得る。
【０１１８】
[00130]長さフィールド１０２０は、情報要素１０００の長さまたは後続のフィールドの全長を示すために使用され得る。図１０に示す長さフィールド１０２０は１オクテット長である。いくつかの実装形態では、長さフィールド１０２０は、２、５、または１２オクテット長であり得る。いくつかの実装形態では、長さフィールド１０２０は、信号ごとにおよび／またはサービスプロバイダ間で長さが変化するなど、可変長であり得る。
【０１１９】
[00131]次のＤＰのＴＳＦフィールド１０３０は、次のＤＰの開始時間（たとえば、図３に関して上記で説明した次の発見期間３１０の開始）を示し得る。いくつかの実施形態では、開始時間は、タイムスタンプ４２０（図４）および／または５２０（図５）のフォーマットのタイムスタンプを介して示され得る。様々な実施形態では、開始時間は、絶対タイムスタンプまたは相対タイムスタンプを使用して示され得る。次のＤＰのＴＳＦフィールド１０３０は、次のＤＰの開始時間をｍｓ、μｓ、時間単位（ＴＵ）、または別のユニットで示し得る。いくつかの実施形態では、時間単位は１０２４μｓであり得る。図示の次のＤＰのＴＳＦフィールド１０３０は、８オクテット長である。いくつかの実装形態では、次のＤＰのＴＳＦフィールド１０３０は、２、５、または１２オクテット長であり得る。
【０１２０】
[00132]いくつかの実施形態では、次の発見期間のＴＳＦの代わりに、またはそれに加えて、現在のＤＰのＴＳＦが示され得る。いくつかの実施形態では、現在のおよび／または次のＤＰのＴＳＦの１つまたは複数の最下位ビットが示され得る。たとえば、２つの最下位バイトが示され得る。様々な実施形態では、３つ、４つ、５つ、６つ、および７つの最下位バイトが示され得る。
【０１２１】
[00133]ＤＷ持続時間フィールド１０４０は、ＤＷの持続時間（たとえば、図３に関して上記で説明したＤＩ３０２の持続時間）を示し得る。様々な実施形態では、ＤＷ持続時間フィールド１０４０は、ＤＷの持続時間をｍｓ、μｓ、時間単位（ＴＵ）、または別のユニットで示し得る。いくつかの実施形態では、時間単位は１０２４μｓであり得る。図示のＤＷ持続時間フィールド１０４０は２オクテット長である。いくつかの実装形態では、ＤＷ持続時間フィールド１０４０は、４、６、または８オクテット長であり得る。
【０１２２】
[00134]いくつかの実施形態では、発見期間フィールド１０５０は、それぞれ図５および図４に関して上記で説明した発見期間フィールド５２２および／またはビーコン間隔フィールド４２２と同じフォーマットを有し得る。一実施形態では、発見期間フィールド１０５０は、（図３に関して上記で説明した）発見期間３１０の長さを示し得る。様々な実施形態では、発見期間フィールド１０５０は、ＤＰ３１０の長さをｍｓ、μｓ、時間単位（ＴＵ）、または別のユニットで示し得る。いくつかの実施形態では、時間単位は１０２４μｓであり得る。図示の発見期間フィールド１０５０は２オクテット長と８オクテット長の間である。いくつかの実装形態では、発見期間フィールド１０５０は、２、４、６、または８オクテット長であり得る。
【０１２３】
[00135]一実施形態では、発見期間フィールド１０５０は、別の発見期間フィールドがＤＰの長さを示すには短すぎるときに使用され得る。たとえば、図５を参照すると、発見期間フィールド５２２は２バイト長として示されている。ＤＰが、２バイトで表され得ない長さを備えている場合、発見期間フィールド５２２は、所定の値（０など）に設定されて、ＤＰが別のフィールドで示されることを示し得る。たとえば、ビーコン５００を受信するワイヤレスデバイス２０２（図２）は、発見期間フィールド５２２が０であるとき、発見期間フィールド１０５０を使用するように構成され得る。
【０１２４】
[00136]送信アドレスフィールド１０６０は、ＩＥ１０００を送信するデバイスの（ＭＡＣアドレスなどの）アドレスを示し得る。いくつかの実施形態では、送信アドレスフィールド１０６０は、ＳＡフィールド４１２（図４）、５１２（図５）、および／または６１２（図６）と同じフォーマットを有し得る。図示の送信アドレスフィールド１０６０は６オクテット長である。いくつかの実装形態では、送信アドレスフィールド１０６０は、４、５、または８オクテット長であり得る。
【０１２５】
[00137]いくつかの実施形態では、ＡＰ１０４は、ＩＥ１０００に加えて、またはその代わりに、情報要素の属性中で次のＤＰのＴＳＦ、ＤＷ持続時間、ＤＰ、および／または送信アドレスを示し得る。たとえば、属性は、ベンダー固有のＩＥであり得る。
【０１２６】
[00138]図１１に、図１のワイヤレス通信システム１００内で採用され得る例示的な発見ウィンドウ属性１１００を示す。様々な実施形態では、たとえば、ＡＰ１３４（図１）、ＳＴＡ１３６ａ〜１０６ｄ（図１）、および／またはワイヤレスデバイス２０２（図２）など、本明細書で説明する任意のデバイス、または別の互換デバイスは、ＤＷ属性１１００を送信し得る。ワイヤレス通信システム１００における１つまたは複数のメッセージは、たとえば、ビーコン４００（図４）、ビーコン５００（図５）、発見フレーム６００（図６）、および／またはプローブ応答などのＤＷ属性１１００を含み得る。一実施形態では、ＤＷ属性１１００は、図１１に関して上記で説明したＤＷ属性９４０を含み得る、および／またはそれを置き換え得る。
【０１２７】
[00139]図１１に示すように、ＤＷ属性１１００は、属性ＩＤ１１１０と、長さフィールド１１２０と、次のＤＰのＴＳＦフィールド１１３０と、ＤＷ持続時間フィールド１１４０と、ＤＰフィールド１１５０と、送信アドレス１１６０とを含む。ＤＷ属性１１００は、追加のフィールドを含み得、フィールドは、再配置、除去、および／またはサイズ変更され得る。
【０１２８】
[00140]図示の属性識別子フィールド１１１０は１オクテット長である。いくつかの実装形態では、属性識別子フィールド１１１０は、２、５、または１２オクテット長であり得る。いくつかの実装形態では、属性識別子フィールド１１１０は、信号ごとにおよび／またはサービスプロバイダ間で長さが変化するなど、可変長であり得る。属性識別子フィールド１１１０は、要素を発見ウィンドウ属性１１４０として識別する値を含み得る。
【０１２９】
[00141]長さフィールド１１２０は、発見ウィンドウ属性１１４０の長さまたは後続のフィールドの全長を示すために使用され得る。図１１に示す長さフィールド１１２０は２オクテット長である。いくつかの実装形態では、長さフィールド１１２０は、１、５、または１２オクテット長であり得る。いくつかの実装形態では、長さフィールド１１２０は、信号ごとにおよび／またはサービスプロバイダ間で長さが変化するなど、可変長であり得る。
【０１３０】
[00142]次のＤＰのＴＳＦフィールド１１３０は、次のＤＰの開始時間（たとえば、図３に関して上記で説明した次の発見期間３１０の開始）を示し得る。いくつかの実施形態では、開始時間は、タイムスタンプ４２０（図４）および／または５２０（図５）のフォーマットのタイムスタンプを介して示され得る。様々な実施形態では、開始時間は、絶対タイムスタンプまたは相対タイムスタンプを使用して示され得る。次のＤＰのＴＳＦフィールド１１３０は、次のＤＰの開始時間をｍｓ、μｓ、時間単位（ＴＵ）、または別のユニットで示し得る。いくつかの実施形態では、時間単位は１０２４μｓであり得る。図示の次のＤＰのＴＳＦフィールド１１３０は、８オクテット長である。いくつかの実装形態では、次のＤＰのＴＳＦフィールド１１３０は、２、５、または１２オクテット長であり得る。
【０１３１】
[00143]いくつかの実施形態では、次の発見期間のＴＳＦの代わりに、またはそれに加えて、現在のＤＰのＴＳＦが示され得る。いくつかの実施形態では、現在のおよび／または次のＤＰのＴＳＦの１つまたは複数の最下位ビットが示され得る。たとえば、２つの最下位バイトが示され得る。様々な実施形態では、３つ、４つ、５つ、６つ、および７つの最下位バイトが示され得る。
【０１３２】
[00144]ＤＷ持続時間フィールド１１４０は、ＤＷの持続時間（たとえば、図３に関して上記で説明したＤＩ３０２の持続時間）を示し得る。様々な実施形態では、ＤＷ持続時間フィールド１１４０は、ＤＷの持続時間をｍｓ、μｓ、時間単位（ＴＵ）、または別のユニットで示し得る。いくつかの実施形態では、時間単位は１０２４μｓであり得る。図示のＤＷ持続時間フィールド１１４０は２オクテット長である。いくつかの実装形態では、ＤＷ持続時間フィールド１１４０は、４、６、または８オクテット長であり得る。
【０１３３】
[00145]いくつかの実施形態では、発見期間フィールド１１５０は、それぞれ図５および図４に関して上記で説明した発見期間フィールド５２２および／またはビーコン間隔フィールド４２２と同じフォーマットを有し得る。一実施形態では、発見期間フィールド１１５０は、（図３に関して上記で説明した）発見期間３１０の長さを示し得る。様々な実施形態では、発見期間フィールド１１５０は、ＤＰ３１０の長さをｍｓ、μｓ、時間単位（ＴＵ）、または別のユニットで示し得る。いくつかの実施形態では、時間単位は１０２４μｓであり得る。図示の発見期間フィールド１１５０は２オクテット長と８オクテット長の間である。いくつかの実装形態では、発見期間フィールド１１５０は、２、４、６、または８オクテット長であり得る。
【０１３４】
[00146]一実施形態では、発見期間フィールド１１５０は、別の発見期間フィールドがＤＰの長さを示すには短すぎるときに使用され得る。たとえば、図５を参照すると、発見期間フィールド５２２は２バイト長として示されている。ＤＰが、２バイトで表され得ない長さを備えている場合、発見期間フィールド５２２は、所定の値（０など）に設定されて、ＤＰが別のフィールドで示されることを示し得る。たとえば、ビーコン５００を受信するワイヤレスデバイス２０２（図２）は、発見期間フィールド５２２が０であるとき、発見期間フィールド１１５０を使用するように構成され得る。
【０１３５】
[00147]送信アドレスフィールド１１６０は、ＩＥ１２００を送信するデバイスの（ＭＡＣアドレスなどの）アドレスを示し得る。いくつかの実施形態では、送信アドレスフィールド１１６０は、ＳＡフィールド４１２（図４）、５１２（図５）、および／または６１２（図６）と同じフォーマットを有し得る。図示の送信アドレスフィールド１１６０は６オクテット長である。いくつかの実装形態では、送信アドレスフィールド１１６０は、４、５、または８オクテット長であり得る。
【０１３６】
[00148]いくつかの実施形態では、ＡＰ１０４（図１）は、次のＤＰのＴＳＦ、ＤＷ持続時間、および／またはＤＰを含まない情報要素中で送信アドレスを示し得る。
【０１３７】
[00149]図１２に、図１のワイヤレス通信システム１００内で採用され得る別の例示的な情報要素１２００を示す。様々な実施形態では、たとえば、ＡＰ１４４（図１）、ＳＴＡ１４６ａ〜１０６ｄ（図１）、および／またはワイヤレスデバイス２０２（図２）など、本明細書で説明する任意のデバイス、または別の互換デバイスは、情報要素１２００を送信し得る。ワイヤレス通信システム１００における１つまたは複数のメッセージは、たとえば、ビーコン４００（図４）、ビーコン５００（図５）、発見フレーム６００（図６）、および／またはプローブ応答などの情報要素１２００を含み得る。
【０１３８】
[00150]図示の実施形態では、情報要素１２００は、要素識別（ＩＤ）フィールド１２１０と、長さフィールド１２２０と、送信アドレス１２３０とを含む。情報要素１２００は、追加のフィールドを含み得、フィールドは、再配置、除去、および／またはサイズ変更され得る。
【０１３９】
[00151]図示の要素識別子フィールド１２１０は１オクテット長である。いくつかの実装形態では、要素識別子フィールド１２１０は、２、５、または１２オクテット長であり得る。いくつかの実装形態では、要素識別子フィールド１２１０は、信号ごとにおよび／またはサービスプロバイダ間で長さが変化するなど、可変長であり得る。要素識別子フィールド１２１０は、要素を発見情報要素１２００として識別する値を含み得る。
【０１４０】
[00152]長さフィールド１２２０は、情報要素１２００の長さまたは後続のフィールドの全長を示すために使用され得る。図１２に示す長さフィールド１２２０は１オクテット長である。いくつかの実装形態では、長さフィールド１２２０は、２、５、または１２オクテット長であり得る。いくつかの実装形態では、長さフィールド１２２０は、信号ごとにおよび／またはサービスプロバイダ間で長さが変化するなど、可変長であり得る。
【０１４１】
[00153]送信アドレスフィールド１２３０は、ＩＥ１２００を送信するデバイスの（ＭＡＣアドレスなどの）アドレスを示し得る。いくつかの実施形態では、送信アドレスフィールド１２３０は、ＳＡフィールド４１２（図４）、５１２（図５）、および／または６１２（図６）と同じフォーマットを有し得る。図示の送信アドレスフィールド１２３０は６オクテット長である。いくつかの実装形態では、送信アドレスフィールド１２３０は、４、５、または８オクテット長であり得る。
【０１４２】
[00154]いくつかの実施形態では、ＡＰ１０４（図１）は、次のＤＰのＴＳＦ、ＤＷ持続時間、および／またはＤＰを含まない情報要素の属性中で送信アドレスを示し得る。
【０１４３】
[00155]図１３に、図１のワイヤレス通信システム１００内で採用され得る例示的な送信アドレス属性１３００を示す。様々な実施形態では、たとえば、ＡＰ１５４（図１）、ＳＴＡ１５６ａ〜１０６ｄ（図１）、および／またはワイヤレスデバイス２０２（図２）など、本明細書で説明する任意のデバイス、または別の互換デバイスは、ＤＷ属性１３００を送信し得る。ワイヤレス通信システム１００における１つまたは複数のメッセージは、たとえば、ビーコン４００（図４）、ビーコン５００（図５）、発見フレーム６００（図６）、および／またはプローブ応答などのＤＷ属性１３００を含み得る。
【０１４４】
[00156]図１３に示すように、ＤＷ属性１３００は、属性ＩＤ１３１０と、長さフィールド１３２０と、送信アドレス１３３０とを含む。ＤＷ属性１３００は、追加のフィールドを含み得、フィールドは、再配置、除去、および／またはサイズ変更され得る。
【０１４５】
[00157]図示の属性識別子フィールド１３１０は１オクテット長である。いくつかの実装形態では、属性識別子フィールド１３１０は、２、５、または１２オクテット長であり得る。いくつかの実装形態では、属性識別子フィールド１３１０は、信号ごとにおよび／またはサービスプロバイダ間で長さが変化するなど、可変長であり得る。属性識別子フィールド１３１０は、要素を送信アドレス属性１５４０として識別する値を含み得る。
【０１４６】
[00158]長さフィールド１３２０は、送信アドレス属性１５４０の長さまたは後続のフィールドの全長を示すために使用され得る。図１３に示す長さフィールド１３２０は２オクテット長である。いくつかの実装形態では、長さフィールド１３２０は、１、５、または１２オクテット長であり得る。いくつかの実装形態では、長さフィールド１３２０は、信号ごとにおよび／またはサービスプロバイダ間で長さが変化するなど、可変長であり得る。
【０１４７】
[00159]送信アドレスフィールド１３３０は、ＩＥ１２００を送信するデバイスの（ＭＡＣアドレスなどの）アドレスを示し得る。いくつかの実施形態では、送信アドレスフィールド１３３０は、ＳＡフィールド４１２（図４）、５１２（図５）、および／または６１２（図６）と同じフォーマットを有し得る。図示の送信アドレスフィールド１３３０は６オクテット長である。いくつかの実装形態では、送信アドレスフィールド１３３０は、４、５、または８オクテット長であり得る。
【０１４８】
[00160]本明細書で説明するように、様々なフィールド、デバイス、および方法について、図５のビーコン５００などのビーコンに関して説明する。本明細書で説明するフィールド、デバイス、および方法はまた、ネットワーク内のＮＡＮデバイスを同期させるためにタイミング情報を搬送するように構成され得る他の同期フレームに適用され得る。たとえば、同期フレームは、発見ウィンドウの開始時間を示す発見ウィンドウ情報要素と発見期間インジケータとを含み得る。いくつかの実施形態では、ビーコンタイプを有する同期フレームは、ビーコンと呼ばれることがある。
【０１４９】
[00161]本明細書における「第１」、「第２」などの名称を使用した要素へのいかなる言及も、それらの要素の数量または順序を概括的に限定するものでない。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行し得ることを意味するものではない。また、別段に記載されていない限り、要素のセットは１つまたは複数の要素を含み得る。
【０１５０】
[00162]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５１】
[00163]本明細書で開示した態様に関して説明した様々な例示的な論理ブロック、モジュール、プロセッサ、手段、回路、およびアルゴリズムステップのいずれも、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいはその両方の組合せとして実装され得る。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課せられた設計制約に依存する。当業者は、説明された機能を特定の適用例ごとに様々な方法で実装し得るが、そのような実装の決定は、本開示の範囲からの逸脱を生じるものと解釈され得ない。
【０１５２】
[00164]本明細書で開示した態様に関して、および図１〜図１３に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを含み得、ＩＣの内部に、ＩＣの外側に、またはその両方に常駐するコードまたは命令を実行し得る。論理ブロック、モジュール、および回路は、ネットワーク内またはデバイス内の様々な構成要素と通信するためにアンテナおよび／またはトランシーバを含み得る。汎用プロセッサはマイクロプロセッサであり得るが、代替として、プロセッサは、任意の従来のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。モジュールの機能は、本明細書で教示した方法とは別の何らかの方法で実装され得る。（たとえば、添付の図の１つまたは複数に関して）本明細書で説明した機能は、いくつかの態様では、添付の特許請求の範囲において同様に指定された「手段」機能に対応し得る。
【０１５３】
[00165]ソフトウェアで実装される場合、機能は、１つまたは複数の命令またはコードとしてコンピュータ可読媒体上に記憶されるか、あるいはコンピュータ可読媒体を介して送信され得る。本明細書で開示された方法またはアルゴリズムのステップは、コンピュータ可読媒体上に存在し得る、プロセッサ実行可能ソフトウェアモジュールで実装され得る。コンピュータ可読媒体は、ある場所から別の場所にコンピュータプログラムを転送することを可能にされ得る任意の媒体を含む通信媒体とコンピュータ記憶媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。本明細書において用いられるとき、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、一方、ディスク（disc）は、データをレーザーで光学的に再生する。上記の組合せもコンピュータ可読媒体の範囲内に含まれ得る。さらに、方法またはアルゴリズムの動作は、コンピュータプログラム製品に組み込まれ得る、機械可読媒体およびコンピュータ可読媒体上のコードおよび命令の１つまたは任意の組合せ、あるいはそのセットとして常駐し得る。
【０１５４】
[00166]いずれの開示したプロセス中のステップのいずれの特定の順序または階層は例示的な手法の一例である。設計上の選好に基づいて、プロセス中のステップの特定の順序または階層は本開示の範囲内のまま再構成され得る。添付の方法クレームは、様々なステップの要素を例示的な順序で提示したものであり、提示された特定の順序または階層に限定されない。
【０１５５】
[00167]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されず、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明されるいかなる実装形態も、必ずしも他の実装形態よりも好ましいまたは有利であると解釈されるべきではない。
【０１５６】
[00168]また、別個の実装形態に関して本明細書で説明されたいくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１５７】
[00169]同様に、動作は特定の順序で図面に示されているが、これは、望ましい結果を達成するために、そのような動作が、示される特定の順序でまたは順番に実行されることを、あるいはすべての図示の動作が実行されることを必要とし得ない。いくつかの状況では、マルチタスキングおよび並列処理が有利であり得る。その上、上記で説明した実装形態における様々なシステム構成要素の分離は、すべての実装形態においてそのような分離を必要とし得ず、説明するプログラム構成要素およびシステムは、概して、単一のソフトウェア製品において互いに一体化されるか、または複数のソフトウェア製品にパッケージングされ得る。さらに、他の実装形態が以下の特許請求の範囲内に入る。場合によっては、特許請求の範囲に記載の行為は、異なる順序で実行され、依然として望ましい結果を達成し得る。
以下に、本願出願時の特許請求の範囲に記載された発明を付記する。
［１］ワイヤレス近傍アウェアネットワーク（ＮＡＮ）において通信する方法であって、
発見期間を決定することと、
発見ウィンドウの開始時間を示す発見ウィンドウ情報要素を生成することと、
前記発見期間と前記発見ウィンドウ情報要素とを識別する情報を備えるＮＡＮビーコンまたは他の同期フレームを生成することと、
ワイヤレスデバイスにおいて、前記発見ウィンドウ中に前記ＮＡＮビーコンまたは他の同期フレームを送信することと
を備える、方法。
［２］ＮＡＮ基本サービスセット識別子（ＢＳＳＩＤ）を決定することをさらに備え、ここにおいて、前記ＮＡＮビーコンまたは他の同期フレームが前記ＮＡＮ  ＢＳＳＩＤをさらに備える、［１］に記載の方法。
［３］前記ＮＡＮビーコンまたは他の同期フレームが、後続の発見期間の時間を示す時間同期機能（ＴＳＦ）を備える情報要素をさらに備える、［１］に記載の方法。
［４］前記ＮＡＮビーコンまたは他の同期フレームが、現在の発見ウィンドウの時間を示す時間同期機能（ＴＳＦ）を備える情報要素をさらに備える、［１］に記載の方法。
［５］前記ＮＡＮビーコンまたは他の同期フレームが、送信アドレスを備える情報要素をさらに備える、［１］に記載の方法。
［６］前記ＮＡＮ  ＢＳＳＩＤがユニバーサルＢＳＳＩＤトークンを備える、［１］に記載の方法。
［７］前記ＮＡＮ  ＢＳＳＩＤがアプリケーション識別子に基づく、［１］に記載の方法。
［８］前記ＮＡＮ  ＢＳＳＩＤが仮固有ネットワーク識別子を備える、［１］に記載の方法。
［９］前記ＮＡＮビーコンまたは他の同期フレームは、前記ＮＡＮビーコンまたは他の同期フレームがビーコン管理フレームであるという指示を備えるフレーム制御フィールドをさらに備える、［１］に記載の方法。
［１０］前記フレーム制御フィールドは、前記ＮＡＮビーコンまたは他の同期フレームがプローブ応答であるという指示をさらに備える、［９］に記載の方法。
［１１］前記ＮＡＮビーコンまたは他の同期フレームが、ブロードキャストアドレスを備える宛先アドレスをさらに備える、［１］に記載の方法。
［１２］前記宛先アドレスは、前記ビーコンが、ＮＡＮビーコンまたは他の同期フレームであることを示すマルチキャストアドレスまたはアドレスのグループをさらに備える、［１１］に記載の方法。
［１３］前記宛先アドレスが前記ＮＡＮ  ＢＳＳＩＤと同じある、［１１］に記載の方法。
［１４］前記ＮＡＮビーコンまたは他の同期フレームが、前記ＮＡＮ  ＢＳＳＩＤとは異なるソースアドレスをさらに備える、［１］に記載の方法。
［１５］前記ソースアドレスが、前記ワイヤレスデバイスのアドレスを備え、前記ＮＡＮ  ＢＳＳＩＤが、標準化団体定義ＢＳＳＩＤとアプリケーション定義ＢＳＳＩＤとのうちの少なくとも１つを備える、［１４］に記載の方法。
［１６］前記ソースアドレスが、前記ワイヤレスデバイスのアドレスとは無関係に、前記ＮＡＮ  ＢＳＳＩＤを備える、［１４］に記載の方法。
［１７］前記ソースアドレスフィールドが前記ＮＡＮ  ＢＳＳＩＤを備えるとき、前記ワイヤレスデバイスの前記アドレスが、前記ビーコンのフレーム本体中で搬送される、［１６］に記載の方法。
［１８］前記ＮＡＮビーコンまたは他の同期フレームが、前記ワイヤレスデバイスの特徴に基づくＮＡＮ  ＢＳＳＩＤをさらに備える、［１］に記載の方法。
［１９］前記ＮＡＮビーコンまたは他の同期フレームが、前記ＮＡＮビーコンまたは他の同期フレームの前記生成のときの前記ワイヤレスデバイスのクロック時間を備えるタイムスタンプをさらに備える、［１］に記載の方法。
［２０］前記ＮＡＮビーコンまたは他の同期フレームが、標準化団体定義ＳＳＩＤおよびアプリケーション定義ＳＳＩＤのうちの少なくとも１つを備えるＳＳＩＤ要素をさらに備える、［１］に記載の方法。
［２１］ワイヤレス近傍アウェアネットワーク（ＮＡＮ）において通信するように構成されたワイヤレスデバイスであって、
発見期間を決定することと、
発見ウィンドウの開始時間を示す発見ウィンドウ情報要素を生成することと、
前記発見期間と前記発見ウィンドウ情報要素とを識別する情報を備えるＮＡＮビーコンまたは他の同期フレームを生成することと、
ワイヤレスデバイスにおいて、前記発見ウィンドウ中に前記ＮＡＮビーコンまたは他の同期フレームを送信することと
を行うように構成されたプロセッサ
を備える、ワイヤレスデバイス。
［２２］ＮＡＮ基本サービスセット識別子（ＢＳＳＩＤ）を決定することをさらに備え、ここにおいて、前記ＮＡＮビーコンまたは他の同期フレームが前記ＮＡＮ  ＢＳＳＩＤをさらに備える、［２１］に記載のワイヤレスデバイス。
［２３］前記ＮＡＮビーコンまたは他の同期フレームが、後続の発見期間の時間を示す時間同期機能（ＴＳＦ）を備える情報要素をさらに備える、［２１］に記載のワイヤレスデバイス。
［２４］前記ＮＡＮビーコンまたは他の同期フレームが、現在の発見ウィンドウの時間を示す時間同期機能（ＴＳＦ）を備える情報要素をさらに備える、［２１］に記載のワイヤレスデバイス。
［２５］前記ＮＡＮビーコンまたは他の同期フレームが、送信アドレスを備える情報要素をさらに備える、［２１］に記載のワイヤレスデバイス。
［２６］前記ＮＡＮ  ＢＳＳＩＤがユニバーサルＢＳＳＩＤトークンを備える、［２１］に記載のワイヤレスデバイス。
［２７］前記ＮＡＮ  ＢＳＳＩＤがアプリケーション識別子に基づく、［２１］に記載のワイヤレスデバイス。
［２８］前記ＮＡＮ  ＢＳＳＩＤが仮固有ネットワーク識別子を備える、［２１］に記載のワイヤレスデバイス。
［２９］前記ＮＡＮビーコンまたは他の同期フレームは、前記ＮＡＮビーコンまたは他の同期フレームがビーコン管理フレームであるという指示を備えるフレーム制御フィールドをさらに備える、［２１］に記載のワイヤレスデバイス。
［３０］前記フレーム制御フィールドは、前記ＮＡＮビーコンまたは他の同期フレームがプローブ応答であるという指示をさらに備える、［２９］に記載のワイヤレスデバイス。［３１］前記ＮＡＮビーコンまたは他の同期フレームが、ブロードキャストアドレスを備える宛先アドレスをさらに備える、［２１］に記載のワイヤレスデバイス。
［３２］前記宛先アドレスは、前記ビーコンが、ＮＡＮビーコンまたは他の同期フレームであることを示すマルチキャストアドレスまたはアドレスのグループをさらに備える、［３１］に記載のワイヤレスデバイス。
［３３］前記宛先アドレスが前記ＮＡＮ  ＢＳＳＩＤと同じある、［３１］に記載のワイヤレスデバイス。
［３４］前記ＮＡＮビーコンまたは他の同期フレームが、前記ＮＡＮ  ＢＳＳＩＤとは異なるソースアドレスをさらに備える、［２１］に記載のワイヤレスデバイス。
［３５］前記ソースアドレスが、前記ワイヤレスデバイスのアドレスを備え、前記ＮＡＮ  ＢＳＳＩＤが、標準化団体定義ＢＳＳＩＤとアプリケーション定義ＢＳＳＩＤとのうちの少なくとも１つを備える、［３４］に記載のワイヤレスデバイス。
［３６］前記ソースアドレスが、前記ワイヤレスデバイスのアドレスとは無関係に、前記ＮＡＮ  ＢＳＳＩＤを備える、［３４］に記載のワイヤレスデバイス。
［３７］前記ソースアドレスフィールドが前記ＮＡＮ  ＢＳＳＩＤを備えるとき、前記ワイヤレスデバイスの前記アドレスが、前記ビーコンのフレーム本体中で搬送される、［３６］に記載のワイヤレスデバイス。
［３８］前記ＮＡＮビーコンまたは他の同期フレームが、前記ワイヤレスデバイスの特徴に基づくＮＡＮ  ＢＳＳＩをさらに備える、［２１］に記載のワイヤレスデバイス。
［３９］前記ＮＡＮビーコンまたは他の同期フレームが、前記ＮＡＮビーコンまたは他の同期フレームの前記生成のときの前記ワイヤレスデバイスのクロック時間を備えるタイムスタンプをさらに備える、［２１］に記載のワイヤレスデバイス。
［４０］前記ＮＡＮビーコンまたは他の同期フレームが、標準化団体定義ＳＳＩＤおよびアプリケーション定義ＳＳＩＤのうちの少なくとも１つを備えるＳＳＩＤ要素をさらに備える、［２１］に記載の方法。
［４１］ワイヤレス近傍アウェアネットワーク（ＮＡＮ）において通信するための装置であって、
発見期間を決定するための手段と、
発見ウィンドウの開始時間を示す発見ウィンドウ情報要素を生成するための手段と、
前記発見期間と前記発見ウィンドウ情報要素とを識別する情報を備えるＮＡＮビーコンまたは他の同期フレームを生成するための手段と、
ワイヤレスデバイスにおいて、前記発見ウィンドウ中に前記ＮＡＮビーコンまたは他の同期フレームを送信するための手段と
を備える、装置。
［４２］実行されたとき、装置に、
発見期間を決定することと、
発見ウィンドウの開始時間を示す発見ウィンドウ情報要素を生成することと、
前記発見期間と前記発見ウィンドウ情報要素とを識別する情報を備えるＮＡＮビーコンまたは他の同期フレームを生成することと、
ワイヤレスデバイスにおいて、前記発見ウィンドウ中に前記ＮＡＮビーコンまたは他の同期フレームを送信することと
を行わせるコードを備える非一時的コンピュータ可読媒体。
【図１】
0006453236.tif 000002
【図２】
0006453236.tif 000003
【図３】
0006453236.tif 000004
【図４】
0006453236.tif 000005
【図５】
0006453236.tif 000006
【図６】
0006453236.tif 000007
【図７】
0006453236.tif 000008
【図８】
0006453236.tif 000009
【図９】
0006453236.tif 000010
【図１０】
0006453236.tif 000011
【図１１】
0006453236.tif 000012
【図１２】
0006453236.tif 000013
【図１３】
0006453236.tif 000014